(57)【要約】【課題】復調時の消費電力を低減することが可能な復調装置等を実現する。【解決手段】ＯＦＤＭ復調装置１は、放送復調系ａの復調部４ａ、および、放送復調系ｂの復調部４ｂが、それぞれ復調処理を行った、デジタル放送の受信信号の受信品質を検出する受信品質検出部２９と、受信品質検出部２９が検出した受信品質を示す検出値としての変調誤差比に応じて階層を選択し、放送復調系ａおよびｂの、一方を起動させると共に他方を停止させる起動制御部５０と、を備えた。【選択図】図１
2010200163.tif 000002
【特許請求の範囲】
【請求項１】
同一の物理チャンネル内で複数の階層が存在するデジタル放送を特定の階層で復調する復調装置であって、
上記デジタル放送の受信信号から特定の物理チャンネルの周波数成分を抽出することにより当該物理チャンネルの選局処理を行う選局処理手段と、当該選局処理手段が抽出した周波数成分を有する受信信号に対して復調処理を行う復調処理手段と、を備えた放送復調系であって、複数系統の当該放送復調系と、
各放送復調系の上記復調処理手段が復調処理を行った上記受信信号の受信品質を検出する受信品質検出手段と、
上記受信品質検出手段が検出した上記受信品質を示す検出値に応じて上記階層を選択し、当該選択した階層に対応した少なくとも１系統の上記放送復調系のみを起動させる起動制御手段と、を備えたことを特徴とする復調装置。
【請求項２】
上記起動制御手段は、
上記受信品質検出手段から受信した上記受信品質を示す検出値が、予め設定された閾値以上であるか否かを判定する判定手段と、
上記判定手段の判定結果に応じて上記階層を選択し、当該選択した階層に対応した上記放送復調系のみに対して電源電圧を供給するように、各放送受信系に供給すべき当該電源電圧を制御する起動選択手段と、を備えたことを特徴とする請求項１に記載の復調装置。
【請求項３】
上記判定手段には、上記閾値が複数設定されていることを特徴とする請求項２に記載の復調装置。
【請求項４】
上記起動選択手段は、
上記受信品質を示す検出値が、複数の上記閾値のいずれか１つである第１閾値以上である旨の、上記判定手段の判定結果が得られたときに、２系統以上の上記放送復調系に対して電源電圧を供給するように、各放送受信系に供給すべき当該電源電圧を制御した後、
上記受信品質を示す検出値が、上記第１閾値と異なる第２閾値以上であるか否かを判定した、上記判定手段の判定結果に応じて上記階層を選択し、当該選択した階層に対応した上記放送復調系のみに対して電源電圧を供給するように、各放送受信系に供給すべき当該電源電圧を制御することを特徴とする請求項３に記載の復調装置。
【請求項５】
上記起動制御手段は、
上記受信品質検出手段から受信した上記受信品質を示す検出値が、予め設定された閾値以上であるか否かを判定する判定手段と、
上記判定手段の判定結果に応じて上記階層を選択し、当該選択した階層に対応した上記放送復調系のみに対して動作クロックを供給するように、各放送受信系に供給すべき当該動作クロックを制御する起動選択手段と、を備えたことを特徴とする請求項１に記載の復調装置。
【請求項６】
上記判定手段には、上記閾値が複数設定されていることを特徴とする請求項５に記載の復調装置。
【請求項７】
上記起動選択手段は、
上記受信品質を示す検出値が、複数の上記閾値のいずれか１つである第１閾値以上である旨の、上記判定手段の判定結果が得られたときに、２系統以上の上記放送復調系に対して動作クロックを供給するように、各放送受信系に供給すべき当該動作クロックを制御した後、
上記受信品質を示す検出値が、上記第１閾値と異なる第２閾値以上であるか否かを判定した、上記判定手段の判定結果に応じて上記階層を選択し、当該選択した階層に対応した上記放送復調系のみに対して動作クロックを供給するように、各放送受信系に供給すべき当該動作クロックを制御することを特徴とする請求項６に記載の復調装置。
【請求項８】
上記受信品質検出手段は、上記受信品質を示す検出値として変調誤差比を求めることを特徴とする請求項１〜７のいずれか１項に記載の復調装置。
【請求項９】
上記受信品質検出手段は、変調誤差比から求められる判定指数を上記受信品質を示す検出値とすることを特徴とする請求項１〜７のいずれか１項に記載の復調装置。
【請求項１０】
上記受信品質検出手段は、変調誤差比の統計から得られた統計量を上記受信品質を示す検出値とすることを特徴とする請求項１〜７のいずれか１項に記載の復調装置。
【請求項１１】
上記起動制御手段は、
上記選択した階層に対応しなかった放送復調系を停止させることを特徴とする請求項１〜１０のいずれか１項に記載の復調装置。
【請求項１２】
記憶装置をさらに備え、
上記記憶装置には、各放送復調系がそれぞれ出力する、上記受信信号に対して復調処理を行って得られたデータが記憶されていることを特徴とする請求項１〜１１のいずれか１項に記載の復調装置。
【請求項１３】
同一の物理チャンネル内で複数の階層が存在するデジタル放送を特定の階層で復調するための、複数系統の放送復調系を備えた復調装置による復調方法であって、
上記デジタル放送の受信信号から特定の物理チャンネルの周波数成分を抽出することにより当該物理チャンネルの選局処理を行う選局処理ステップと、当該選局処理ステップにて抽出した周波数成分を有する受信信号に対して復調処理を行う復調処理ステップと、を行う放送復調ステップを、複数系統の上記放送復調系ごとに行い、
各放送復調ステップの上記復調処理ステップにて復調処理を行った上記受信信号の受信品質を検出する受信品質検出ステップと、
上記受信品質検出ステップにて検出した上記受信品質を示す検出値に応じて上記階層を選択し、当該選択した階層に対応した少なくとも１系統の上記放送復調系のみを起動させる起動制御ステップと、を含むことを特徴とする復調方法。
【請求項１４】
請求項１〜１２のいずれか１項に記載の復調装置を動作させるための復調プログラムであって、上記各手段としてコンピュータを機能させるための復調プログラム。
【請求項１５】
請求項１４に記載の復調プログラムを記録したコンピュータ読取可能な記録媒体。
【発明の詳細な説明】
【技術分野】
【０００１】
本発明は、消費電力を抑制して、最適な階層のデジタル放送を選択して復調することが可能な、復調装置、復調方法、復調プログラム、および、コンピュータ読み取り可能な記録媒体に関するものである。
【背景技術】
【０００２】
地上波を用いる地上デジタルテレビジョン放送では、映像信号および音声信号を効率よく伝送できる、直交周波数分割多重方式（Orthogonal Frequency Division Multiplex：以下、「ＯＦＤＭ」と称する）と呼ばれる伝送方式が用いられている。
【０００３】
具体的に、このデジタル放送波を受信するデジタル放送受信装置は、家屋内に固定的に設置される据え置き型の受信装置（以下、「固定型受信装置」と称する）の他、受信機能を有する携帯機器、または、車等の移動体において使用されることを目的とした受信装置（以下、「可搬型受信装置」と称する）として利用されることが想定されている。このため、デジタル放送では、単一の伝送路符号化での放送だけでなく、複数の異なる伝送路符号化を用いる階層伝送を行うことが考えられている。
【０００４】
この階層伝送において、地上デジタルテレビジョン放送に関する伝送方式の標準規格である、ＡＲＩＢ  ＳＴＤ‐Ｂ３１では、地上デジタルテレビジョン放送の放送方式である、ＩＳＤＢ‐Ｔ（Integrated Services Digital Broadcasting-Terrestrial）を規定している（非特許文献１参照）。ＩＳＤＢ‐Ｔとは、放送が行われる１つの物理チャンネルの伝送帯域を、１３個の周波数帯域（ＯＦＤＭセグメント）に分割し、当該帯域ごとに、伝送パラメータおよび伝送する情報を設定する方式である。
【０００５】
具体的に、ＩＳＤＢ‐Ｔでは、上記ＯＦＤＭセグメントが、最大３つの階層（所要Ｃ／Ｎ比が低い順に、強階層、中階層、および弱階層）に分割されており、可搬型受信装置向けには例えば、強階層放送および／または中階層放送が行われる。すなわち、ＩＳＤＢ‐Ｔにおいて、固定型受信装置は、全階層の受信が可能なように構成される一方で、可搬型受信装置は、強階層および／または中階層の受信が可能なように構成される。なお、可搬型受信装置のうち、移動体用受信装置（例えば、車載用受信装置）は、中階層および強階層の受信が可能なように構成されており、携帯型受信装置（例えば、携帯電話機およびＰＤＡ（Personal Digital Assistant）に搭載される受信装置）は、強階層の受信が可能なように構成されている。
【０００６】
また、日本では、上記規格に基づく地上デジタル放送が、２００３年１２月から開始されている。この日本における地上デジタル放送では、上記１つの物理チャンネル帯域内の１３セグメントのうち、１セグメントを利用するワンセグ放送と、残りの１２セグメントを利用する固定放送と、が行われており、当該ワンセグ放送が携帯型受信装置向けに、当該固定放送が固定型受信装置向けに、それぞれ放送されている。なお、これら２つのデジタル放送は、現在、同一の映像および音声で、サイマル放送されている。
【０００７】
図９は、ＯＦＤＭにおける階層構造を説明するためのグラフである。図９に示すとおり、上記ワンセグ放送は、１３セグメントの周波数帯域（５．５７ＭＨｚ）の中央に位置する、１セグメント（０．４３ＭＨｚ）を利用した放送である。なお、図９では、参照符号８０がワンセグ放送帯域を、参照符号８１が固定放送帯域を、それぞれ示している。〔表１〕に示すとおり、ワンセグ放送は、固定放送よりも所要Ｃ／Ｎ比（Carrier to Noise Ratio）が１０ｄＢ以上小さいので、雑音およびフェージングへの耐性が強く、携帯型受信装置向けに特化した放送であると言える。また、〔表１〕に示すとおり、ワンセグ放送は、少ないデータ量で動画を伝送するための画像圧縮方式（画像圧縮規格）として、Ｈ．２６４方式を用いている。このＨ．２６４方式とは例えば、上記固定放送に用いられるＭＰＥＧ（Motion Picture Experts Group）‐２方式の２倍以上の圧縮効率を実現するための方式である。このため、ワンセグ放送では、携帯型受信装置においても、従来のアナログ放送では実現できなかった、高品質の映像および音声を、提供することが可能である。なお、以下の〔表１〕には、ワンセグ放送と固定放送との放送パラメータを、それぞれ示している。
【０００８】
【表１】
2010200163.tif 000003
【０００９】
ここからは、ＯＦＤＭ伝送方式を用いたデジタル放送を送信する送信側（デジタル放送の放送局）での処理について説明する。送信側では、ＱＰＳＫ方式、１６ＱＡＭ方式、または、６４ＱＡＭ方式による変調方式を用いることによって、送信するデジタル放送の放送波のデジタル信号列を数ビットにまとめて複素信号にマッピングする。次に、当該送信側では、マッピングされたＮ個の複素信号に対して、逆高速フーリエ変換（ＩＦＦＴ：Inverse Fast Fourier Transform）を行うことによって、ベースバンドＯＦＤＭ信号が得られる。
【００１０】
ＯＦＤＭ信号に含まれる各伝送シンボルは、複数のセグメントに分割されている。また、各セグメントには、データキャリア、ＳＰ（Scattered Pilot）キャリア、ＴＭＣＣ（Transmission and Multiplexing Configuration Control）キャリア、ＡＣ（Auxiliary Channel）１キャリア、および、ＡＣ２キャリアが含まれている。
【００１１】
ＳＰキャリアは、ＯＦＤＭ信号に対する波形等化の基準として用いられるＳＰ信号を伝送するためのキャリアであり、各伝送フレームに周期的に挿入される。このＳＰキャリアが配置される周期は予め定められており、具体的に、当該ＳＰキャリアは、ＯＦＤＭ信号のセグメント構成におけるキャリア方向について１２キャリアに１つ、シンボル方向について４シンボルに１つの周期で挿入される。
【００１２】
ＴＭＣＣキャリアは、同期ワードおよび伝送パラメータを含む、ＴＭＣＣ信号を伝送するためのキャリアである。ＡＣ１キャリアまたはＡＣ２キャリアは、付加情報を伝送するための、ＡＣ１信号またはＡＣ２信号を伝送するためのキャリアである。ＴＭＣＣキャリア、ＡＣ１キャリア、および、ＡＣ２キャリアは、ＳＰキャリアと異なり、各伝送フレームに非周期的に挿入される。
【００１３】
上述のように地上デジタルテレビジョン放送では、携帯型受信装置（または、移動体用受信装置）での受信を実現しているが、以下の問題が生じる。具体的に、携帯型受信装置によるデジタル放送の受信では、フェージング、インパルスノイズ、マルチパス、Ｃ／Ｎ比の劣化等により、受信品質の劣化が増大する場合がある。特に、受信品質の劣化の度合いは、携帯型受信装置の移動速度が大きくなるにつれて増大する。そして、この受信品質が大幅に劣化した場合、携帯型受信装置は、受信したデジタル放送の誤り訂正を行うことができず、映像および音声の劣化を防ぐことができないという問題が発生する。従って、地上デジタルテレビジョン放送では、携帯型受信装置が、高品質な階層（固定放送）を受信した場合に、上記受信品質の劣化に伴う、映像および音声の乱れ（例えば、映像に関して言えば、ゴースト障害）を増大させてしまうという問題が発生する。
【００１４】
そこで、特許文献１、２には、上記の問題を解決するために、高品質な階層のデジタル放送の受信品質が劣化した場合に、受信可能な階層または受信可能なチャンネルの信号に切り替えるデジタル放送受信装置が開示されている。
【００１５】
図１０は、特許文献１に開示されたデジタル放送受信装置１００の概略構成を示すブロック図である。デジタル放送受信装置１００は、同一の物理チャンネル内に１以上の階層が存在するデジタル放送を受信するアンテナ１０１、復調器１０２、モニタ１１３、アンプ１１５、および、スピーカー１１７を備える構成である。デジタル放送受信装置１００の復調器１０２は、アンテナ１０１で受信した受信信号から選局チャンネルの信号を抽出し、抽出した当該信号に対して復調処理を行う。復調処理されて得られた、映像信号および音声信号は、それぞれモニタ１１３およびアンプ１１５に出力される。
【００１６】
また、復調器１０２は、階層１復調部１０７ａ、階層２復調部１０７ｂ、・・・、階層Ｎ復調部１０７ｎ（以下、これらを「階層復調部１０７」と称する）と、周波数選局部１０３と、受信品質判定部１０８と、切り替え部１０９と、モード表示部１１１と、を備える構成である。
【００１７】
階層復調部１０７は、周波数選局部１０３が抽出した選局チャンネルの信号に対して階層ごとに復調処理を行う。受信品質判定部１０８は、階層ごとに復調処理された信号の受信品質を判定する。切り替え部１０９は、受信品質判定部１０８から出力される最適な受信階層を示す情報に基づいて、階層復調部１０７のうちのいずれか１つを選択する。モード表示部１１１は、切り替え部１０９が選択した階層復調部１０７から出力される信号をモニタ１１３およびアンプ１１５に送信する。
【００１８】
特許文献１の上記構成によれば、デジタル放送受信装置１００は、高品質な階層のデジタル放送の受信品質が劣化した場合であっても、受信可能な階層または受信可能なチャンネルの信号に切り替えることができる。
【００１９】
図１１は、特許文献２に開示されたデジタル放送受信装置１２０の概略構成を示すブロック図である。デジタル放送受信装置１２０は、デジタル放送の少なくとも弱階層放送を受信して映像音声生成を行う第１受信部１２６Ａと、デジタル放送の中階層放送および／または強階層放送を受信して映像音声生成を行う第２受信部１２６Ｂと、第１受信部１２６Ａと第２受信部１２６Ｂとのいずれかの映像音声出力信号を選択して映像表示部および音声出力部（共に図示しない）に供給する選択手段１２５と、選択手段１２５に選択指令信号を与える制御手段１２４と、を備えて可搬型に構成されている。デジタル放送受信装置１２０は、周波数選択手段およびＯＦＤＭ復調手段としての、複数のチューナ１２２Ａおよび１２２Ｂで構成される。第１受信部１２６Ａのチューナ１２２Ａおよび第２受信部１２６Ｂのチューナ１２２Ｂはそれぞれ、受信品質判定手段（図示しない）を備え、制御手段１２４は、受信品質判定手段が判定した受信信号品質（受信状態情報）に基づいて、上記選択指令信号を与える。
【００２０】
特許文献２の上記構成によれば、デジタル放送受信装置１２０は、第１受信部１２６Ａおよび第２受信部１２６Ｂが、双方同時に動作して映像音声を提示できるため、固定放送とワンセグ放送との切り替えが円滑に行われることとなり、結果、安定的に受信映像を提示することができる。
【００２１】
なお、デジタル放送受信装置１２０は、装着された電池（図示しない）にて駆動され、制御手段１２４は、電池残量が所定値を下回ったときに、第１受信部１２６Ａへの通電を停止させると共に第２受信部１２６Ｂから出力される映像音声を選択させることとしてもよい。また、ユーザによって操作されるスイッチ（図示しない）を備え、制御手段１２４は、当該スイッチにて低消費電力モードが選択された場合に、第１受信部１２６Ａへの通電を停止させると共に第２受信部１２６Ｂから出力される映像音声信号を選択させることとしてもよい。さらに、車載型として構成され、制御手段１２４は、エンジンＯＦＦを検出したときには、第１受信部１２６Ａへの通電を停止させると共に第２受信部１２６Ｂから出力される映像音声信号を選択させることとしてもよい。
【先行技術文献】
【特許文献】
【００２２】
【特許文献１】特開２０００‐１６５７６６号公報（２０００年６月１６日公開）
【特許文献２】特開２００５‐２５２５１２号公報（２００５年９月１５日公開）
【非特許文献】
【００２３】
【非特許文献１】社団法人電波産業界、「地上デジタルテレビジョン放送の伝送方式ＡＲＩＢ  ＳＴＤ‐Ｂ３１  １．５版」、２００１年５月３１日初版策定、２００７年９月２６日１．７版改定
【発明の概要】
【発明が解決しようとする課題】
【００２４】
しかしながら、ユーザが携帯電話機に使用されている小さいモニタでワンセグ放送を視聴する場合には、特に、動画を視聴する場合には、デジタル放送特有のブロックノイズが現れやすいという問題が発生する。また、ワンセグ放送では、小さいモニタを有する携帯電話機であっても、高精細な固定放送を視聴したいというユーザのニーズがある。
【００２５】
上述のように、雑音およびフェージングへの耐性が強いワンセグ放送の実施により、ユーザは、広範囲において、携帯電話機を利用してデジタル放送を視聴できるようになった。しかしながら、ワンセグ放送の伝送レートは、〔表１〕に示すように、固定放送の約１／４０となっている。
【００２６】
一般に、デジタル放送における映像の品質は、送信されるデジタル放送の伝送レートで決まるものであり、当該伝送レートは、変調方式および符号化率によって決定される。具体的に、受信装置では、伝送レートが大きい場合に、動画のフレームレートが高くなると共に映像の画質も高精細となる一方、伝送レートが小さい場合に、動画のフレームレートが低くなると共に映像の画質も粗くなる。すなわち、固定放送よりも伝送レートの低いワンセグ放送では、雑音およびフェージングへの耐性を強くすることによって、携帯電話機でデジタル放送を視聴することを可能としたが、このワンセグ放送により高精細な映像を提供するためには、上述のブロックノイズへの対策をさらに講じる必要がある。
【００２７】
また、受信装置が移動体用受信装置である場合、回路規模および消費電力にはそれほど制約がない。一方、携帯電話機等に搭載される携帯型受信装置の場合、当該携帯型受信装置の部品の面積、厚み等のサイズ、および、当該携帯型受信装置に使用できる消費電力量は、制約を受けることとなる。
【００２８】
ここで、特許文献１のデジタル放送受信装置１００は、放送パラメータが異なる複数の階層で構成されるデジタル放送を受信して復調する。このため、デジタル放送受信装置１００は、図１０に示すとおり、周波数選局部１０３が共通であるが、階層復調部１０７が複数の階層復調部１０７ａ〜１０７ｎを並列に配置した構成となっている。また、並列に実装された階層復調部１０７ａ〜１０７ｎは、同時に復調処理を行う。このため、デジタル放送受信装置１００では、階層復調部１０７ａ〜１０７ｎのうち最適な階層の信号の復調処理を行う階層復調部だけを動作可能とする構成と比較すると、消費電力が大きくなってしまうという問題が生じる。なお、一般に、伝送レートが高い階層を復調する階層復調部の消費電力は、伝送レートが低い階層を復調する階層復調部の消費電力よりも大きくなっている。
【００２９】
さらに、デジタル放送受信装置１００では、切り替え部１０９での階層の選択処理に関わらず、どの階層に対しても同じように処理を行うので、伝送レートの低い階層を復調するときの消費電力量は、伝送レートの高い階層を復調するときの消費電力量と同じとなってしまう。このため、デジタル放送受信装置１００では、伝送レートが低い階層を復調する場合であっても伝送レートが高い階層を復調する場合と同じ消費電力量であるため、消費電力の無駄が生じてしまうという問題が発生する。
【００３０】
また、特許文献２のデジタル放送受信装置１２０は、放送パラメータが異なる複数の階層で構成されるデジタル放送を受信して復調する。このため、デジタル放送受信装置１２０は、図１１に示すとおり、複数のチューナ１２２Ａおよび１２２Ｂと、デコーダ部１２３Ａおよび１２３Ｂと、を、それぞれ並列に配置した構成となっている。デジタル放送受信装置１２０は、電池残量が所定値よりも小さい場合、ユーザがスイッチを操作した場合、および、自動車のエンジンをＯＦＦにした場合以外には、常に複数の階層を同時に復調するべく、チューナ１２２Ａおよび１２２Ｂが、基本的に双方同時に電力供給を受けて動作するものであるので、結局、特許文献１に開示されたデジタル放送受信装置１００と同じ課題を有する。
【００３１】
本発明は、上記の問題に鑑みてなされたものであり、その目的は、復調時の消費電力を低減することが可能な、復調装置、復調方法、復調プログラム、および、コンピュータ読み取り可能な記録媒体を提供することにある。
【課題を解決するための手段】
【００３２】
本発明に係る復調装置は、上記の問題を解決するために、同一の物理チャンネル内で複数の階層が存在するデジタル放送を特定の階層で復調する復調装置であって、上記デジタル放送の受信信号から特定の物理チャンネルの周波数成分を抽出することにより当該物理チャンネルの選局処理を行う選局処理手段と、当該選局処理手段が抽出した周波数成分を有する受信信号に対して復調処理を行う復調処理手段と、を備えた放送復調系であって、複数系統の当該放送復調系と、各放送復調系の上記復調処理手段が復調処理を行った上記受信信号の受信品質を検出する受信品質検出手段と、上記受信品質検出手段が検出した上記受信品質を示す検出値に応じて上記階層を選択し、当該選択した階層に対応した少なくとも１系統の上記放送復調系のみを起動させる起動制御手段と、を備えたことを特徴としている。
【００３３】
また、本発明に係る復調方法は、上記の問題を解決するために、同一の物理チャンネル内で複数の階層が存在するデジタル放送を特定の階層で復調するための、複数系統の放送復調系を備えた復調装置による復調方法であって、上記デジタル放送の受信信号から特定の物理チャンネルの周波数成分を抽出することにより当該物理チャンネルの選局処理を行う選局処理ステップと、当該選局処理ステップにて抽出した周波数成分を有する受信信号に対して復調処理を行う復調処理ステップと、を行う放送復調ステップを、複数系統の上記放送復調系ごとに行い、各放送復調ステップの上記復調処理ステップにて復調処理を行った上記受信信号の受信品質を検出する受信品質検出ステップと、上記受信品質検出ステップにて検出した上記受信品質を示す検出値に応じて上記階層を選択し、当該選択した階層に対応した少なくとも１系統の上記放送復調系のみを起動させる起動制御ステップと、を含むことを特徴としている。
【００３４】
上記の構成によれば、本発明に係る、復調装置および復調方法では、各放送復調系において、復調処理を行った受信信号の受信品質を示す検出値に応じて、階層を選択し、選択した階層に対応した放送復調系のみを起動するため、復調時の消費電力の低減を図ることが可能となる。
【００３５】
また、本発明に係る復調装置は、上記起動制御手段は、上記受信品質検出手段から受信した上記受信品質を示す検出値が、予め設定された閾値以上であるか否かを判定する判定手段と、上記判定手段の判定結果に応じて上記階層を選択し、当該選択した階層に対応した上記放送復調系のみに対して電源電圧および／または動作クロックを供給するように、各放送受信系に供給すべき当該電源電圧および／または動作クロックを制御する起動選択手段と、を備えたことを特徴としている。
【００３６】
上記の構成によれば、判定手段は、受信品質を示す検出値が予め設定された閾値以上であるか否かを判定し、起動選択手段は、この判定結果に応じて、階層を選択する。さらに、起動選択手段は、選択した階層に対応した放送復調系のみに対して電源電圧を供給するように、各放送受信系に供給すべき当該電源電圧を制御する。なお、閾値としては、起動制御手段が、デジタル放送の最適な階層を選択可能な基準を満たすものであれば、どのような値が設定されていてもよい。これにより、起動制御手段は、判定結果に応じて選択した階層に対応した当該放送復調系のみを起動させることができる。
【００３７】
また、上記の構成によれば、電源電圧を制御する上記構成と同様に、各放送復調系の起動制御として、各放送復調系に動作クロックを供給するか否かを制御する。これにより、起動制御手段はやはり、判定結果に応じて選択した階層に対応した当該放送復調系のみを起動させることができる。なお、起動すべき放送復調系に対して、電源電圧を供給し、かつ、動作クロックを供給する場合、本発明に係る復調装置では、動作クロックの供給と同時に、選択された放送復調系が速やかに駆動するという効果が得られる。また、起動する必要のない放送復調系に対して、動作クロックの供給を停止することで、本発明に係る復調装置では、当該放送復調系における消費電力を低減することができる。
【００３８】
また、本発明に係る復調装置は、上記判定手段には、上記閾値が複数設定されていることを特徴としている。
【００３９】
上記の構成によれば、判定手段に閾値が複数設定されていることにより、１つだけ閾値が設定されている場合に比べて、階層の選択の頻度を低減させることができる。一般に、上記受信品質を示す検出値が閾値付近で変化する場合には、復調装置が階層を切り替えずにデジタル放送を受信した場合であっても、復調処理手段からの出力には誤りが発生しないか、発生しても極僅かである場合が多い。以上のことから、復調装置では、デジタル放送の受信率の安定化を図ることができる。
【００４０】
また、本発明に係る復調装置は、上記起動選択手段は、上記受信品質を示す検出値が、複数の上記閾値のいずれか１つである第１閾値以上である旨の、上記判定手段の判定結果が得られたときに、２系統以上の上記放送復調系に対して電源電圧および／または動作クロックを供給するように、各放送受信系に供給すべき当該電源電圧および／または動作クロックを制御した後、上記受信品質を示す検出値が、上記第１閾値と異なる第２閾値以上であるか否かを判定した、上記判定手段の判定結果に応じて上記階層を選択し、当該選択した階層に対応した上記放送復調系のみに対して電源電圧および／または動作クロックを供給するように、各放送受信系に供給すべき当該電源電圧および／または動作クロックを制御することを特徴としている。
【００４１】
上記の構成によれば、起動選択手段は、使用すべき放送復調系への切り替え時に、２系統以上の放送復調系が同時に起動している期間を設けることができるため、当該切り替えを連続的に円滑に行うことが可能となり、結果、デジタル放送の受信率の安定化を図ることが可能となる。なおこのとき、第１および第２閾値は、経過時間に対する上記検出値の変動、および、復調装置自身の時間応答等を考慮して適宜設定するのが好ましい。
【００４２】
また、本発明に係る復調装置は、上記受信品質検出手段は、上記受信品質を示す検出値として変調誤差比を求めることを特徴としている。また、本発明に係る復調装置は、上記受信品質検出手段は、変調誤差比から求められる判定指数を上記受信品質を示す検出値とすることを特徴としている。また、本発明に係る復調装置は、上記受信品質検出手段は、変調誤差比の統計から得られた統計量を上記受信品質を示す検出値とすることを特徴としている。
【００４３】
上記の構成によれば、本発明に係る復調装置では、受信品質検出手段が、複数の階層を含むデジタル放送を受信した場合に、受信品質を示す検出値として、変調誤差比、変調誤差比から求められる判定指数、および、変調誤差比の統計から得られた統計量、のいずれかを求め、起動制御手段が、当該検出値が予め設定された閾値以上であるか否かを判定することにより、階層の選択および各放送復調系の起動制御を行う。これにより、起動制御手段は、階層の選択および各放送復調系の起動制御を、高精度に実施することができる。なお、当該検出値が、変調誤差比から得られる値である場合、起動制御手段には上記閾値として、例えば所要Ｃ／Ｎ比が設定されることとなる。
【００４４】
また、本発明に係る復調装置は、上記起動制御手段は、上記選択した階層に対応しなかった放送復調系を停止させることを特徴としている。
【００４５】
上記の構成によれば、起動制御手段は、選択した階層に対応しなかった放送復調系、すなわち、起動する必要のない放送復調系を停止させるため、消費電力をさらに低減することができる。
【００４６】
また、本発明に係る復調装置は、記憶装置をさらに備え、上記記憶装置には、各放送復調系がそれぞれ出力する、上記受信信号に対して復調処理を行って得られたデータが記憶されていることを特徴としている。
【００４７】
上記の構成によれば、各放送復調系がそれぞれ出力する、デジタル放送の受信信号に対して復調処理を行って得られたデータ（例えば、ＴＳＰ）を、記憶装置に予め記憶しておく。これにより、各放送復調系が、互いに階層が異なる各デジタル放送の復調を開始する時間を、適宜制御することが可能となる。
【００４８】
なお、上記復調装置は、コンピュータによって実現してもよく、この場合には、コンピュータを上記各手段として動作させることにより上記復調装置をコンピュータにて実現させる放送復調装置の制御プログラム、およびそれを記録したコンピュータ読み取り可能な記録媒体も、本発明の範疇に入る。
【発明の効果】
【００４９】
以上のとおり、本発明に係る復調装置は、同一の物理チャンネル内で複数の階層が存在するデジタル放送を特定の階層で復調する復調装置であって、上記デジタル放送の受信信号から特定の物理チャンネルの周波数成分を抽出することにより当該物理チャンネルの選局処理を行う選局処理手段と、当該選局処理手段が抽出した周波数成分を有する受信信号に対して復調処理を行う復調処理手段と、を備えた放送復調系であって、複数系統の当該放送復調系と、各放送復調系の上記復調処理手段が復調処理を行った上記受信信号の受信品質を検出する受信品質検出手段と、上記受信品質検出手段が検出した上記受信品質を示す検出値に応じて上記階層を選択し、当該選択した階層に対応した少なくとも１系統の上記放送復調系のみを起動させる起動制御手段と、を備えた。
【００５０】
また、本発明に係る復調方法は、同一の物理チャンネル内で複数の階層が存在するデジタル放送を特定の階層で復調するための、複数系統の放送復調系を備えた復調装置による復調方法であって、上記デジタル放送の受信信号から特定の物理チャンネルの周波数成分を抽出することにより当該物理チャンネルの選局処理を行う選局処理ステップと、当該選局処理ステップにて抽出した周波数成分を有する受信信号に対して復調処理を行う復調処理ステップと、を行う放送復調ステップを、複数系統の上記放送復調系ごとに行い、各放送復調ステップの上記復調処理ステップにて復調処理を行った上記受信信号の受信品質を検出する受信品質検出ステップと、上記受信品質検出ステップにて検出した上記受信品質を示す検出値に応じて上記階層を選択し、当該選択した階層に対応した少なくとも１系統の上記放送復調系のみを起動させる起動制御ステップと、を含む。
【００５１】
従って、復調時の消費電力を低減することが可能となるという効果を奏する。
【図面の簡単な説明】
【００５２】
【図１】本発明に係る復調装置の概略構成を示すブロック図である。
【図２】上記復調装置に備えられたチューナの概略構成を示すブロック図である。
【図３】上記復調装置に備えられたＦＥＣ部の概略構成を示すブロック図である。
【図４】変調方式がＱＰＳＫ方式の場合の、受信品質検出部におけるＭＥＲ値の算出方法を説明するためのグラフである。
【図５】ワンセグ放送と固定放送とからなるデジタル放送を、上記復調装置が受信したときの、復調装置における処理の流れを示すフローチャートである。
【図６】ＭＥＲ値の経時変化を示すグラフを用いた、起動制御部での制御の一例を示す図であり、図６（ａ）は１つの閾値にて制御を行う場合を示すグラフであり、図６（ｂ）は複数の閾値にて制御を行う場合を示すグラフである。
【図７】複数の閾値にて、全ての放送復調系を起動させた後に、選択された放送復調系のみを起動させる、復調装置における処理の流れを示すグラフであり、図７（ａ）は２系統の放送復調系の一方が起動している場合を示すグラフであり、図７（ｂ）は２系統の放送復調系の他方が起動している場合を示すグラフである。
【図８】変調誤差比としてのＭＥＲの統計から得られた統計量を、受信品質を示す検出値とする要領を示すグラフである。
【図９】ＯＦＤＭにおける階層構造を説明するためのグラフである。
【図１０】特許文献１に開示されたデジタル放送受信装置の概略構成を示すブロック図である。
【図１１】特許文献２に開示されたデジタル放送受信装置の概略構成を示すブロック図である。
【図１２】階層の数が３以上の場合に、図５に示すフローチャートを拡張した一例を示すフローチャートである。
【発明を実施するための形態】
【００５３】
図１は、本発明に係る復調装置の概略構成を示すブロック図である。
【００５４】
図１に示すＯＦＤＭ復調装置（復調装置）１は、放送局から出力された同一の物理チャンネル内で複数の階層が存在するデジタル放送を、アンテナ２ａおよび２ｂがそれぞれ受信すると、当該デジタル放送のうち、所望のチャンネルのデジタル放送を示す受信信号を選局して復調するものである。また、ＯＦＤＭ復調装置１は、復調した受信信号を、ＴＳＰ（Transport Stream Packet：トランスポートストリームパケット）として、自身の後段に設けられた、モニタ（図示しない）およびアンプ（図示しない）に出力するものである。ＯＦＤＭ復調装置１は、地上デジタルテレビジョン放送の放送方式（ＩＳＤＢ−Ｔ）で規定された直交周波数分割多重方式（ＯＦＤＭ）によって伝送されるデジタル放送波を受信し、復調するものである。また、ＯＦＤＭ復調装置１は例えば、家屋内に固定的に設置される据え置き型の受信装置（固定型受信装置）、デジタル放送を受信する機能を有する携帯機器に搭載された受信装置（携帯型受信装置）、車等の移動体に搭載された受信装置（移動体用受信装置）に搭載されるものである。固定型受信装置の一例としてはテレビ受像機、携帯型受信装置の一例としては携帯電話機およびＰＤＡ、移動体用受信装置の一例としては車載用の受信装置が挙げられる。
【００５５】
ＯＦＤＭ復調装置１は、アンテナ２ａおよび２ｂと、チューナ（選局処理手段）３ａおよび３ｂと、復調部（復調処理手段）４ａおよび４ｂと、起動制御部（起動制御手段）５０と、クロック源４０と、電圧制御部４２と、を備えた構成である。なお、アンテナ２ａおよび２ｂは、共通化されていてもよい、すなわち、１本のアンテナとして実現されていてもよい。
【００５６】
ここで、チューナ３ａおよび復調部４ａは、アンテナ２ａが受信したデジタル放送の受信信号を復調するための、１系統の放送復調系（以下、「放送復調系ａ」と称する）を構成している。また、チューナ３ｂおよび復調部４ｂは、アンテナ２ｂが受信したデジタル放送の受信信号を復調するための、放送復調系ａと別の、１系統の放送復調系（以下、「放送復調系ｂ」と称する）を構成している。つまり、ＯＦＤＭ復調装置１は、受信したデジタル放送の受信信号を復調するための、複数系統（ここでは、２系統）の放送復調系ａおよびｂを備えた構成であると解釈できる。なお、ここでは一例として、放送復調系ａが受信したワンセグ放送を復調するためのワンセグ放送復調系を構成しており、放送復調系ｂが受信した固定放送を復調するための固定放送復調系を構成しているものとして説明を行う。
【００５７】
復調部４ａおよび４ｂはそれぞれ、ベースバンド信号処理部（以下、「ＢＢ部」と称する）６、および、誤り訂正処理部（以下、「ＦＥＣ部」と称する）７を備えている。ＢＢ部６およびＦＥＣ部７の具体的な説明については、後述する。
【００５８】
クロック源４０は、放送復調系ａを動作させるためのクロックとしての動作クロックをチューナ３ａと復調部４ａとに、放送復調系ｂを動作させるためのクロックとしての動作クロックをチューナ３ｂと復調部４ｂとに、クロック線４１を通じてそれぞれ供給するものである。
【００５９】
電圧制御部４２は、電圧源（図示しない）を有しており、当該電圧源から、放送復調系ａを起動させるために必要な所定の電源電圧をチューナ３ａと復調部４ａとに、放送復調系ｂを起動させるために必要な所定の電源電圧をチューナ３ｂと復調部４ｂとに、電圧供給線４３を通じてそれぞれ供給するものである。
【００６０】
アンテナ２ａは、放送局から出力された同一の物理チャンネル内で複数の階層が存在するデジタル放送を、ＲＦ（Radio Frequency：無線周波）信号として受信し、このＲＦ信号（デジタル放送の受信信号）をチューナ３ａに供給する。アンテナ２ａと同様に、アンテナ２ｂは、放送局から出力された同一の物理チャンネル内で複数の階層が存在するデジタル放送を、ＲＦ信号として受信し、このＲＦ信号をチューナ３ｂに供給する。
【００６１】
チューナ３ａは、アンテナ２ａからのＲＦ信号から、特定の物理チャンネルの周波数成分を抽出することにより当該物理チャンネルの選局処理を行うものである。チューナ３ａと同様に、チューナ３ｂは、アンテナ２ｂからのＲＦ信号から、特定の物理チャンネルの周波数成分を抽出することにより当該物理チャンネルの選局処理を行うものである。
【００６２】
ここからは、上記チューナ３ａおよび３ｂの概略構成について、図２を参照して説明する。
【００６３】
図２に示すチューナ３は、チューナ３ａまたは３ｂとして好適に用いられるチューナである。チューナ３は、フィルタ（第１のフィルタ）１１、可変利得増幅部（第１の可変利得増幅部）１２、周波数変換部１３、フィルタ（第２のフィルタ）１４、および、可変利得増幅部（第２の可変利得増幅部）１５を備えた構成である。
【００６４】
フィルタ１１は、チューナ３をチューナ３ａとして用いる場合アンテナ２ａから、チューナ３をチューナ３ｂとして用いる場合アンテナ２ｂから、それぞれ供給されたＲＦ信号から、所望の周波数成分を抽出する（デジタル放送の放送波以外のＲＦ信号を取り除く）ために設けられたバンドパスフィルタである。フィルタ１１は、この抽出した周波数成分を有するＲＦ信号を、可変利得増幅部１２に送信する。
【００６５】
可変利得増幅部１２は、後述する自動利得制御部（以下、「ＡＧＣ部」と称する）２６から供給された利得調整信号に基づいて、フィルタ１１からのＲＦ信号を、増幅または減衰させるために設けられた低雑音増幅器（ローノイズアンプ）である。可変利得増幅部１２は、増幅または減衰した、フィルタ１１からのＲＦ信号を、周波数変換部１３に送信する。
【００６６】
周波数変換部１３は、可変利得増幅部１２からのＲＦ信号に対して、周波数変換を実施することで、当該ＲＦ信号をＩＦ（Intermediate Frequency：中間周波）信号に変換するものである。周波数変換部１３は、選択した所望のチャンネルの当該ＩＦ信号を、フィルタ１４に送信する。
【００６７】
フィルタ１４は、周波数変換部１３のＩＦ信号から、所望の周波数成分を抽出する（再び不要な物理チャンネルの信号を取り除く）ために設けられたローパスフィルタである。すなわち、フィルタ１４は、特定の物理チャンネルの周波数成分を抽出する（すなわち所望のチャンネルを選択する）ためのフィルタであると解釈することができる。フィルタ１４は、抽出した周波数成分を有するＩＦ信号を、可変利得増幅部１５に送信する。
【００６８】
可変利得増幅部１５は、後述するＡＧＣ部２６から供給された利得調整信号に基づいて、フィルタ１４からのＩＦ信号を、後段の復調部に入力可能な電圧まで増幅させるものである。なお、ここで「後段の復調部」とはすなわち、チューナ３をチューナ３ａとして用いる場合復調部４ａであり、チューナ３をチューナ３ｂとして用いる場合復調部４ｂである。可変利得増幅部１５は、増幅したＩＦ信号を、後段の復調部に送信する。
【００６９】
なお、図２に示すチューナ３は、フィルタ１１および１４を備えた構成であるが、フィルタ１１を省いてフィルタ１４だけを備えた構成であってもよい。
【００７０】
また、デジタル放送の受信信号から特定の物理チャンネルの選局処理を行うべき周波数帯域幅が広がると、チューナ３では消費電力も大きくなる。このことを考慮すると、固定放送復調系を構成する放送復調系ｂのチューナ３ｂの消費電力は、ワンセグ放送復調系を構成する放送復調系ａのチューナ３ａの消費電力よりも大きくなる。
【００７１】
復調部４ａは、チューナ３ａからＩＦ信号を受信すると、当該ＩＦ信号を復調する。すなわち、復調部４ａは、チューナ３ａが抽出した周波数成分を有する受信信号に対して復調処理を行うものである。復調部４ａと同様に、復調部４ｂは、チューナ３ｂからＩＦ信号を受信すると、当該ＩＦ信号を復調する。すなわち、復調部４ｂは、チューナ３ｂが抽出した周波数成分を有する受信信号に対して復調処理を行うものである。
【００７２】
復調部４ａおよび４ｂの概略構成、さらには、チューナ３の可変利得増幅部１５（図２参照）からＩＦ信号が入力されたときの、復調部４ａの動作と復調部４ｂの動作とについては、互いに同じであるため、以下でまとめて説明を行う。
【００７３】
チューナ３の可変利得増幅部１５（図２参照）からのＩＦ信号はまず、復調部４ａまたは４ｂの、ＢＢ部６に供給される。
【００７４】
ここからは、上記ＢＢ部６の概略構成について、図１を参照して説明する。
【００７５】
ＢＢ部６は、チューナ３（図２参照）から供給されたＩＦ信号を、ベースバンドＯＦＤＭ信号に変換して、当該ベースバンドＯＦＤＭ信号に対して復調処理を実施するものであり、当該復調処理によって得られた、データ信号群およびＴＭＣＣ情報を、ＦＥＣ部７に供給するものである。すなわち、ＢＢ部６は、デジタル放送の受信信号を、ベースバンド信号に変換して復調処理を行うものであると解釈することができる。
【００７６】
ＢＢ部６は、復調部４ａと復調部４ｂとで同じ構成であり、アナログデジタル変換部（以下、「ＡＤＣ部」と称する）２０、直交検波部２１、狭帯域キャリア周波数誤差補正部２２、高速フーリエ変換部（以下、「ＦＦＴ部」と称する）２３、波形等化部２４、シンボル同期部２５、ＡＧＣ部２６、広帯域キャリア周波数誤差補正部２７、および、ＴＭＣＣ復号部２８を備えている。
【００７７】
ＡＤＣ部２０は、チューナ３の可変利得増幅部１５（図２参照）から供給されたＩＦ信号を、アナログ信号からデジタル信号へと変換して、直交検波部２１に供給する。
【００７８】
直交検波部２１は、ＡＤＣ部２０から供給された、デジタル信号であるＩＦ信号を、予め設定されたキャリア周波数のキャリア信号を用いて、直交検波を実施することにより、実軸成分（いわゆる、Ｉチャネル信号）および虚軸成分（いわゆる、Ｑチャネル信号）からなる複素信号であるベースバンドＯＦＤＭ信号を得て、当該ベースバンドＯＦＤＭ信号を、狭帯域キャリア周波数誤差補正部２２に供給する。
【００７９】
狭帯域キャリア周波数誤差補正部２２は、直交検波部２１から供給されたベースバンドＯＦＤＭ信号から、狭帯域キャリア周波数誤差を検出することによって、当該ベースバンドＯＦＤＭ信号を補正するものである。狭帯域キャリア周波数誤差補正部２２は、例えば、当該ベースバンドＯＦＤＭ信号と、数値制御発振器（図示しない）から供給されるキャリア周波数誤差補正信号と、を複素乗算することによって、当該ベースバンドＯＦＤＭ信号のキャリア周波数を補正する。その他、狭帯域キャリア周波数誤差補正部２２は、ＣＯＲＤＩＣ（COordinate Rotation DIgital Computer）回路に代表される、位相回転回路を用いて、補正を行ってもよい。この場合、当該位相回転回路には、狭帯域キャリア周波数誤差から各サンプリング点の位相補正量が計算されて入力される、入力された上記ベースバンドＯＦＤＭ信号を上記位相補正量だけ回転することで、狭帯域キャリア周波数誤差を補正する。狭帯域キャリア周波数誤差補正部２２は、キャリア周波数を補正したベースバンドＯＦＤＭ信号を、ＦＦＴ部２３、シンボル同期部２５、および、ＡＧＣ部２６に供給する。
【００８０】
ＦＦＴ部２３は、シンボル同期部２５によって特定された各有効シンボルの先頭タイミングを参照することによって、ベースバンドＯＦＤＭ信号から有効シンボル期間分の信号を抽出し、抽出した当該ベースバンドＯＦＤＭ信号に対して高速フーリエ変換を行うものである。ＦＦＴ部２３は例えば、ベースバンドＯＦＤＭ信号におけるガードインターバル期間内の任意の点を、高速フーリエ変換を行う対象として抽出するベースバンドＯＦＤＭ信号の開始点としてもよい。ＦＦＴ部２３は、ベースバンドＯＦＤＭ信号に対して高速フーリエ変換を行うことによって、当該ベースバンドＯＦＤＭ信号から、データ信号、ＳＰ信号、ＴＭＣＣ信号等を含む、各キャリアに変調されたＮ個の複素信号を得る。ＦＦＴ部２３は、ベースバンドＯＦＤＭ信号から得たＮ個の複素信号を、波形等化部２４およびＴＭＣＣ復号部２８に供給する。
【００８１】
波形等化部２４は、ＴＭＣＣ復号部２８から供給される同期確立信号の示すタイミングに基づいて、ＦＦＴ部２３から供給された上記Ｎ個の複素信号に対して波形等化処理を行うものである。なおここで、波形等化処理とは、Ｎ個の複素信号の振幅および位相を等しくする処理を意味する。具体的に、波形等化部２４は、ＦＦＴ部２３から供給されたＳＰ信号群の期待値に基づいて、通信路の伝達関数（通信路で生じた振動変動および位相回転に対応する関数）を推定する。そして、波形等化部２４は、この推定により得られた伝達関数で各データ信号を複素除算することによって、波形等化されたデータ信号群を得る。波形等化部２４は、波形等化したデータ信号群を、ＦＥＣ部７および後述する受信品質検出部２９に供給する。
【００８２】
シンボル同期部２５は、狭帯域キャリア周波数誤差補正部２２から供給された、キャリア周波数が補正されたベースバンドＯＦＤＭ信号から、伝送モードおよびガードインターバル比等の伝送パラメータを抽出する。これにより、シンボル同期部２５は、上記ベースバンドＯＦＤＭ信号（ベースバンド信号）に含まれる、各有効シンボルの先頭タイミングを特定する。
【００８３】
ＡＧＣ部２６は、狭帯域キャリア周波数誤差補正部２２から供給された、キャリア周波数が補正されたベースバンドＯＦＤＭ信号から、ＡＧＣ部２６自身が設けられた復調部４ａまたは４ｂに入力されるＩＦ信号の最適な強度を算出し、当該算出結果を、上述した利得調整信号として、チューナ３の可変利得増幅部１２および１５（図２参照）に供給する。なお、復調部４ａのＡＧＣ部２６は、当該利得調整信号をチューナ３ａに供給し、復調部４ｂのＡＧＣ部２６は、当該利得調整信号をチューナ３ｂに供給する。
【００８４】
広帯域キャリア周波数誤差補正部２７は、ＦＦＴ部２３から波形等化部２４へと供給すべき複素信号から、広帯域キャリア周波数誤差を検出することによって、当該複素信号を補正するものである。具体的に、広帯域キャリア周波数誤差補正部２７は、広帯域キャリア周波数誤差を検出すると、上記複素信号のうち、当該広帯域キャリア周波数誤差に基づいて決定された特定の周波数帯域のキャリアに変調された複素信号のみが、波形等化部２４に供給されるように制御する。複素信号がＦＦＴ部２３から波形等化部２４に供給され、当該複素信号が所望ＯＦＤＭ帯域であることを示す信号を波形等化部２４に出力した場合、広帯域キャリア周波数誤差補正部２７による当該複素信号に対する補正は不要である。
【００８５】
ＴＭＣＣ復号部２８は、ＦＦＴ部２３から供給されたＴＭＣＣ信号に対して、ＤＢＰＳＫ復調を行い、ＤＢＰＳＫ復調を行った結果に含まれる同期ワードを検出することによって、各伝送フレームの先頭タイミングを特定するものである。また、ＴＭＣＣ復号部２８は、上記ＴＭＣＣ信号に対して誤り訂正復号（具体的には差集合巡回復号）を行うことによって、伝送パラメータ等を規定するＴＭＣＣ情報を得る。ＴＭＣＣ復号部２８は、特定した各伝送フレームの上記先頭タイミングを示す同期確立信号を、波形等化部２４とＦＥＣ部７とに供給し、上記ＴＭＣＣ情報をＦＥＣ部７に供給する。
【００８６】
なお、ＦＦＴ部２３から出力されるＮ個の複素信号は、波形等化部２４に直接供給される構成に限らず、広帯域キャリア周波数誤差補正部２７での補正を行ってから波形等化部２４に供給されてもよい。この場合、広帯域キャリア周波数誤差補正部２７は、上記複素信号のうち、上記広帯域キャリア周波数誤差に基づいて特定されるキャリア番号帯域内の複素信号のみを抽出し、抽出した当該複素信号を、所望ＯＦＤＭ帯域の複素信号として、波形等化部２４に供給することとなる。
【００８７】
また、上述の〔表１〕の階層構成のデジタル放送では、固定放送のキャリア数がワンセグ放送のキャリア数の１２倍となっている。従って、固定放送復調系を構成する放送復調系ｂのＢＢ部６の消費電力は、ワンセグ放送復調系を構成する放送復調系ａのＢＢ部６の消費電力よりも大きくなる。
【００８８】
続いては、上記ＦＥＣ部７の概略構成について、図３を参照して説明する。
【００８９】
図３に示すＦＥＣ部７は、復調部４ａまたは４ｂに備えられたＦＥＣ部である。ＦＥＣ部７は、ＢＢ部６（図１参照）からのデータ信号群の送信ビット列を復元し、復元した当該送信ビット列に含まれる誤り訂正符号を用いて、誤り訂正復号を行うことによって、ＴＳＰを生成し、生成した当該ＴＳＰを、後段のモニタおよびアンプ（図示しない）に供給するものである。すなわち、ＦＥＣ部７は、ＢＢ部６にて復調処理されたベースバンド信号に対して誤り訂正処理を行うものと解釈することができる。
【００９０】
図３に示すＦＥＣ部７は、デマッピング部３０、ビットデインターリーブ部３１、周波数デインターリーブ部３２、時間デインターリーブ部３３、デパンクチャー部３４、ビタビ復号部３５、バイトデインターリーブ部３６、エネルギー逆拡散部３７、ＴＳＰ生成部３８、および、ＲＳ（リードソロモン）復号部３９を備えている。
【００９１】
デマッピング部３０は、波形等化部２４によって波形等化されたデータ信号群に対して、マッピングの復調処理を行うものである。すなわち、デマッピング部３０は、ＱＰＳＫ、１６ＱＡＭ、および、６４ＱＡＭのいずれかによって複素信号にマッピングされた上記データ信号群の送信ビット列を復元する。デマッピング部３０は、復元した送信ビット列を有するデータ信号群を、ビットデインターリーブ部３１に送信する。
【００９２】
ビットデインターリーブ部３１は、デマッピング部３０からのデータ信号群の、ビットインターリーブの解除処理を行うものである。なおここで、インターリーブとは、誤り訂正復号の誤り入力信号を分散させるためのものであり、上述したＩＳＤＢ−Ｔにて規定される規則性に準じた順番並べ替えを行うものである。すなわち、ビットデインターリーブ部３１は、データ信号群の有する送信ビット列の順番を、ビット単位で並べ替えるものである。ビットデインターリーブ部３１は、ビットインターリーブの解除処理を行ったデータ信号群を、周波数デインターリーブ部３２に送信する。
【００９３】
周波数デインターリーブ部３２は、ビットデインターリーブ部３１からのデータ信号群の、周波数インターリーブの解除処理を行う、すなわち、各キャリアの順番を並べ替えるものである。周波数デインターリーブ部３２は、周波数インターリーブの解除処理を行ったデータ信号群を、時間デインターリーブ部３３に送信する。
【００９４】
時間デインターリーブ部３３は、周波数デインターリーブ部３２からのデータ信号群の、時間インターリーブの解除処理を行う、すなわち、復調されたデータ信号の順番を並べ替えるものである。時間デインターリーブ部３３は、時間インターリーブの解除処理を行ったデータ信号群を、デパンクチャー部３４に送信する。
【００９５】
デパンクチャー部３４は、時間デインターリーブ部３３からのデータ信号群が有している、復元された送信ビット列に含まれる誤り訂正符号の内符号がパンクチャーされた畳み込み符号の場合に、当該畳み込み符号に対してデパンクチャー処理を行う。なおここで、デパンクチャーとは、送信側にて予め間引かれた冗長性のある信号領域に暫定値を挿入するものであり、間引き方法についてはＩＳＤＢ−Ｔにて規定されている。デパンクチャー部３４は、デパンクチャー処理が行われたデータ信号群を、ビタビ復号部３５に送信する。
【００９６】
ビタビ復号部３５は、デパンクチャー部３４からのデータ信号群が有している、復元された送信ビット列に含まれる誤り訂正符号の内符号が畳み込み符号化されている場合に、当該畳み込み符号化された符号化データの復号および誤り訂正を行うものである。ビタビ復号部３５は、符号化データの復号および誤り訂正が行われたデータ信号群を、バイトデインターリーブ部３６に送信する。
【００９７】
バイトデインターリーブ部３６は、ビタビ復号部３５からのデータ信号群の、バイトインターリーブの解除処理を行う、すなわち、データ信号群の有する送信ビット列の順番をバイト単位で並べ替えるものである。バイトデインターリーブ部３６は、バイトインターリーブの解除処理を行ったデータ信号群を、エネルギー逆拡散部３７に送信する。
【００９８】
エネルギー逆拡散部３７は、バイトデインターリーブ部３６からのデータ信号群に対して、エネルギー逆拡散処理を行うものである。ここで、エネルギー逆拡散処理とは、上記データ信号群に対して、信号極性の偏りをなくすことによってランダム性を持たせるもので、送信側にて掛け合わされた擬似雑音系列を逆に掛け合わせることを意味する。エネルギー逆拡散部３７は、エネルギー逆拡散処理を行ったデータ信号群を、ＴＳＰ生成部３８に送信する。
【００９９】
ＴＳＰ生成部３８は、エネルギー逆拡散部３７からのデータ信号群から、所定サイズ（例えば、２０４バイト）のＴＳＰを生成する。ＴＳＰ生成部３８は、生成したＴＳＰをＲＳ復号部３９に送信する。
【０１００】
ＲＳ復号部３９は、ＴＳＰ生成部３８からのＴＳＰが有している、復元された送信ビット列に含まれる誤り訂正符号の外符号がリードソロモン符号化されている場合に、当該リードソロモン符号化された符号化データの復号および誤り訂正を行うものである。ＲＳ復号部３９は、符号化データの復号および誤り訂正が行われたＴＳＰを、後段のモニタおよびアンプに供給する。なお、ＲＳ復号部３９から供給されるＴＳＰは、Ｈ．２６４方式、または、ＭＰＥＧ‐２方式の画像圧縮方式にて画像圧縮を行うデコーダ（図示しない）に入力されて、当該デコーダにて復調される。これにより、上記ＴＳＰを受信したモニタでは、映像表示が実現されると共に、当該ＴＳＰを受信したアンプでは、自身に接続されたスピーカーを介して音声出力が実現される。
【０１０１】
なお、上述の〔表１〕の階層構成のデジタル放送では、固定放送のデータ伝送レートがワンセグ放送のデータ伝送レートの４０倍となっている。従って、固定放送復調系を構成する放送復調系ｂのＦＥＣ部７の消費電力は、ワンセグ放送復調系を構成する放送復調系ａのＦＥＣ部７の消費電力よりも大きくなる。
【０１０２】
さらに、ＢＢ部６は、復調部４ａおよび４ｂがそれぞれ復調処理を行った、デジタル放送の受信信号の受信品質を検出して、その検出結果を後述する起動制御部５０に供給する、受信品質検出部（受信品質検出手段）２９を備えている。なお、本実施の形態では、受信品質検出部２９が、復調部４ａと復調部４ｂとの両方に備えられているものとする。
【０１０３】
具体的に、受信品質検出部２９は、波形等化部２４によって波形等化されたデータ信号群に基づいて、変調誤差比（Modulation Error Rate：以下、「ＭＥＲ値」と称す）を算出することにより、当該データ信号群の受信品質を検出するものである。受信品質検出部２９は、算出したＭＥＲ値を、当該受信品質を示す検出値として、起動制御部５０に供給する。
【０１０４】
ここで、ＭＥＲ値とは、波形等化されたデータ信号（複素信号）ＸEQ（ｎ、ｋ）の電力換算値と、当該データ信号ＸEQ（ｎ、ｋ）の理想コンスタレーションポイントＸEQ’（ｎ、ｋ）からのずれを示すベクトル誤差δＸEQ（ｎ、ｋ）の電力換算値との比である。データ信号ＸEQ（ｎ、ｋ）に対するＭＥＲ値は、以下の数式（１）〜数式（４）によって定義される。
【０１０５】
【数１】
2010200163.tif 000004
【０１０６】
【数２】
2010200163.tif 000005
【０１０７】
【数３】
2010200163.tif 000006
【０１０８】
【数４】
2010200163.tif 000007
【０１０９】
なお、上記の各数式において使用されている添え字は、ｎがシンボル番号を表しており、ｋがキャリア番号を表している。また、数式（１）で求める和は、添え字ｎおよびｋについての和である。高精度のＭＥＲ値を得る場合には、上記ｎおよびｋを増やして、これらについての和を求めればよい。一方、リアルタイム性が要求される場合には、１シンボル内の全キャリア、または、特定のキャリアについてのみ和を求めるようにすればよい。さらに、データ信号ＸEQ（ｎ、ｋ）に対する理想コンスタレーションポイントＸEQ’（ｎ、ｋ）とは、変調方式に応じて決まる、取り得る全てのコンスタレーションポイントＸｍ（０≦ｍ＜Ｍ）のうち、データ信号ＸEQ（ｎ、ｋ）との距離ｄｍ（ｎ、ｋ）＝｜ＸEQ（ｎ、ｋ）−Ｘｍ｜が最小となるコンスタレーションポイントＸｍのことである。
【０１１０】
ここからは、変調方式が例えばＱＰＳＫ方式の場合の、受信品質検出部２９におけるＭＥＲ値の算出方法について説明する。図４は、変調方式がＱＰＳＫ方式の場合の、受信品質検出部２９におけるＭＥＲ値の算出方法を説明するためのグラフである。
【０１１１】
波形等化部２４によって波形等化されたデータ信号ＸEQ（ｎ、ｋ）が、図４に示す位置である場合、このときの理想コンスタレーションポイントＸEQ’（ｎ、ｋ）は、上述の説明から、図４に示すコンスタレーションポイントＸ１と決定される。受信品質検出部２９は、図４に示すＰＳｉｇｎａｌ（データ信号ＸEQ（ｎ、ｋ）と原点との距離）と、ＰＮｏｉｓｅ（データ信号ＸEQ（ｎ、ｋ）とコンスタレーションポイントＸ１との距離）と、を算出し、それぞれ、上記数式（１）に示す、常用対数の真数部分の分母および分子に代入することによって、ＭＥＲ値が算出される。
【０１１２】
ＭＥＲ値は、上記数式（１）に示すように、図４に示すＰＳｉｇｎａｌとＰＮｏｉｓｅとの電力比であるので、Ｃ／Ｎ比（キャリア対雑音電力比）に相当すると解釈することができる。すなわち、ＭＥＲ値は、ＯＦＤＭ復調装置１が受信するデジタル放送波の受信品質を示す指標として用いることができる。
【０１１３】
なお、本実施の形態では、受信品質検出部２９が、ＢＢ部６に備えられた構成となっているが、これに限らず、当該受信品質検出部２９は、受信品質の検出処理を損なわない位置（ブロック）であれば、ＯＦＤＭ復調装置１のどの位置に備えられていてもよい。さらに、本実施の形態では、放送復調系ａと放送復調系ｂとの両方に、受信品質検出部２９を具備している。すなわち、ＯＦＤＭ復調装置１には、２つの受信品質検出部２９が備えられている。しかし、受信品質検出部２９は、ＯＦＤＭ復調装置１に１つだけ備えられ、この受信品質検出部２９が、放送復調系ａと放送復調系ｂとの両方における、上記受信品質を計算する構成であってもよい。
【０１１４】
さらに、ＯＦＤＭ復調装置１は、起動制御部５０を備えている。起動制御部５０は、受信品質検出部２９が検出したデジタル放送の受信信号の受信品質を示す検出値に応じて階層を選択し、当該選択した階層に対応した復調のみを行うように、当該検出値に応じて、放送復調系ａおよびｂのうち、一方を起動させると共に他方を停止させるためのものである。但し、階層の選択中に限っては、放送復調系ａおよびｂの両方を起動する期間が存在してもよい。すなわち、起動制御部５０は、ＯＦＤＭ復調装置１が受信するデジタル放送の放送波の受信品質に応じて、放送復調系ａと放送復調系ｂとの切り替えを行うものであると解釈することができる。
【０１１５】
起動制御部５０は、判定部（判定手段）５１および起動選択部（起動選択手段）５２を備えている。
【０１１６】
判定部５１は、受信品質検出部２９から受信したデジタル放送の受信信号の受信品質を示す検出値が、予め設定された閾値以上であるか否かを判定するものである。判定部５１は、受信品質検出部２９から供給されるＭＥＲ値を受信すると、当該ＭＥＲ値を予め設定された閾値以上であるか否かを判定して、この判定結果を起動選択部５２に送信する。なお、詳細は後述するが、判定部５１には、上記判定のときに参照するための閾値が、予め記憶されているのが好ましい。
【０１１７】
起動選択部５２は、判定部５１の上記判定結果に応じて、放送復調系ａと放送復調系ｂとの、起動する旨または停止する旨示す停止起動信号を、クロック源４０および電圧制御部４２に供給するものである。
【０１１８】
なお、電圧制御部４２は、起動選択部５２から供給された上記停止起動信号に応じて、放送復調系ａと放送復調系ｂとのそれぞれに対して、電源電圧を供給するまたは電源電圧の供給を停止する。また、クロック源４０は、起動選択部５２から供給された上記停止起動信号に応じて、放送復調系ａと放送復調系ｂとのそれぞれに対して、動作クロックを供給するまたは動作クロックの供給を停止する。
【０１１９】
続いては、〔表１〕に示す階層構成を有する、ワンセグ放送と固定放送とからなる、いわゆるｍｏｄｅ３のデジタル放送を、ＯＦＤＭ復調装置１が受信する場合の、当該ＯＦＤＭ復調装置１における各処理について、図５を参照して説明する。
【０１２０】
図５は、ワンセグ放送と固定放送とからなるデジタル放送を、ＯＦＤＭ復調装置１が受信したときの、当該ＯＦＤＭ復調装置１における処理の流れを示すフローチャートである。
【０１２１】
ＯＦＤＭ復調装置１は、ワンセグ放送と固定放送とからなるデジタル放送を受信する。起動選択部５２は、ワンセグ放送復調時に放送復調系ａを、固定放送復調時に放送復調系ｂを、それぞれ起動させるように、上記停止起動信号を用いた電圧制御部４２の制御を行う。起動選択部５２は、放送復調系ａと放送復調系ｂとのそれぞれを、起動または停止させるための、当該停止起動信号を、電圧制御部４２に供給する。電圧制御部４２は、起動選択部５２から供給された当該停止起動信号に応じて、放送復調系ａと放送復調系ｂとのそれぞれを、起動させるか停止させるかを制御する。
【０１２２】
まず、ＯＦＤＭ復調装置１が起動される（ステップＳ０）と、起動選択部５２は、放送復調系ａの起動を示す上記停止起動信号を、電圧制御部４２に供給する。電圧制御部４２は、この停止起動信号を受信すると、放送復調系ａを起動させるために必要な、上述した所定の電源電圧を、チューナ３ａと復調部４ａとに供給して（または、供給する当該電源電圧を上昇させて）、放送復調系ａを起動させる（ステップＳ１）。
【０１２３】
続いて、チューナ３ａは、アンテナ２ａで受信したデジタル放送を示すＲＦ信号からユーザ所望のチャンネルを選局し、当該選局したチャンネルを示すＲＦ信号の周波数帯域を１セグメントに制限されたＩＦ信号に変換し、当該ＩＦ信号を復調部４ａに供給する。復調部４ａは、チューナ３ａからＩＦ信号が供給されると、当該ＩＦ信号の初期同期を試みて、当該ＩＦ信号の同期確立の有無を確認することで、放送復調系ａにおける同期確立の有無を確認する（ステップＳ２）。
【０１２４】
換言すれば、ステップＳ２では、放送復調系ａのＴＭＣＣ復号部２８が、上記ＩＦ信号のＴＭＣＣ信号に対してＤＢＰＳＫ復調を行い、当該ＴＭＣＣ信号に含まれる同期ワードを検出することによって、当該ＩＦ信号の同期確立が可能か否かを判定する。放送復調系ａのＴＭＣＣ復号部２８は、ＩＦ信号の同期確立が可能であると判定した場合、すなわち、ＩＦ信号の同期確立ありと判定した場合、同期確立ありを示す（すなわち、伝送フレームの先頭タイミングを示す）同期確立信号を、放送復調系ａの波形等化部２４に送信する。
【０１２５】
復調部４ａがチューナ３ａから供給されたＩＦ信号の同期確立なし（同期ＮＧ）と判定した場合（ステップＳ２の結果がＮＯ）、起動制御部５０には、放送復調系ａのＴＭＣＣ復号部２８から、同期確立なしを示す同期確立信号が供給される。起動制御部５０が同期確立なしを示す当該同期確立信号を受信すると、起動選択部５２は、ワンセグ放送の受信および固定放送の受信共に不可能であると判定し、放送復調系ａおよびｂの両方の停止を示す上記停止起動信号を、電圧制御部４２に供給する。電圧制御部４２は、この停止起動信号を受信すると、放送復調系ａを起動させるために必要な、上述した所定の電源電圧を、チューナ３ａと復調部４ａとに供給すること、および、放送復調系ｂを起動させるために必要な、上述した所定の電源電圧を、チューナ３ｂと復調部４ｂとに供給することを、それぞれ停止して（または、当該電源電圧を降下させて）、放送復調系ａおよびｂの両方を停止させて、ＯＦＤＭ復調装置１を停止させる（ステップＳ１１）。
【０１２６】
一方、復調部４ａがチューナ３ａから供給されたＩＦ信号の同期確立あり（同期ＯＫ）と判定した場合（ステップＳ２の結果がＹＥＳ）、放送復調系ａを起動したまま、すなわち、放送復調系ａの動作を維持したまま、ステップＳ３の処理を行う。なおこのとき、電圧制御部４２は当然ながら、放送復調系ａのチューナ３ａおよび復調部４ａに対する、上記所定の電源電圧の供給を維持する。
【０１２７】
ステップＳ３では、放送復調系ｂが起動している（復調を行っている）場合に、放送復調系ａの動作を維持したまま、放送復調系ｂを停止させる。具体的に、起動選択部５２は、放送復調系ｂの停止を示す上記停止起動信号を、電圧制御部４２に供給する。電圧制御部４２は、この停止起動信号を受信すると、放送復調系ｂを起動させるために必要な、上述した所定の電源電圧を、チューナ３ｂと復調部４ｂとに供給することを停止して（または、当該電源電圧を降下させて）、放送復調系ｂを停止させる。
【０１２８】
なおこのとき、放送復調系ａでは、復調部４ａがＩＦ信号の同期確立ありと判定した場合、放送復調系ａのＴＭＣＣ復号部２８が、同期確立ありを示す同期確立信号を、放送復調系ａの波形等化部２４に供給する。放送復調系ａの波形等化部２４は、放送復調系ａのＴＭＣＣ復号部２８からこの同期確立信号を受信すると、放送復調系ａのＦＦＴ部２３から供給される複素信号に含まれるデータ信号に対して波形等化処理を行う。そして、放送復調系ａの波形等化部２４は、波形等化したデータ信号を放送復調系ａの受信品質検出部２９に送信する。
【０１２９】
放送復調系ａの受信品質検出部２９は、放送復調系ａの波形等化部２４によって波形等化されたデータ信号を受信すると、当該データ信号の受信品質を検出する。すなわち、当該受信品質検出部２９は、受信したデータ信号のＭＥＲ値を、図４等に示す上述した要領で算出し（受信品質検出ステップＳ４）、算出した当該ＭＥＲ値を起動制御部５０に供給する。
【０１３０】
起動制御部５０では、判定部５１が上記ＭＥＲ値を受信すると、予め設定された閾値を参照し、当該ＭＥＲ値が当該閾値以上であるか否かを判定する（本発明に係る「起動制御ステップ」の１つである、ステップＳ５）。なお、上記閾値は、例えば〔表１〕に示す、固定放送の所要Ｃ／Ｎ比であり、ＯＦＤＭ復調装置１が復調するデジタル放送の階層のうち、所要Ｃ／Ｎ比が最も大きい値である階層の所要Ｃ／Ｎ比として予め設定されている。
【０１３１】
判定部５１は、上記ＭＥＲ値が上記閾値以上であると判定した場合（ステップＳ５の結果がＹＥＳ）、当該判定結果を起動選択部５２に供給する。起動選択部５２は、上記ＭＥＲ値が上記閾値以上であることを示す判定結果を受信すると、放送復調系ｂを起動させる（起動制御ステップＳ６）。つまり、ステップＳ６では、起動選択部５２が、放送復調系ｂの起動を示す上記停止起動信号を、電圧制御部４２に供給する。電圧制御部４２は、この停止起動信号を受信すると、放送復調系ｂを起動させるために必要な、上述した所定の電源電圧を、チューナ３ｂと復調部４ｂとに供給して（または、供給する当該電源電圧を上昇させて）、放送復調系ｂを起動させる。
【０１３２】
また、ステップＳ６では、チューナ３ｂが、アンテナ２ｂで受信したデジタル放送を示すＲＦ信号からユーザ所望のチャンネルを選局し、当該選局したチャンネルを示すＲＦ信号の周波数帯域を１３セグメントに制限されたＩＦ信号に変換し、当該ＩＦ信号を復調部４ｂに供給する。そして、復調部４ｂは、チューナ３ｂからＩＦ信号が供給されると、当該ＩＦ信号の初期同期の確立を試みて、当該ＩＦ信号の同期確立の有無を確認することで、放送復調系ｂにおける同期確立の有無を確認する（ステップＳ７）。
【０１３３】
換言すれば、ステップＳ２での、放送復調系ａに対する上述した同期処理と同様に、ステップＳ７では、放送復調系ｂのＴＭＣＣ復号部２８が、上記ＩＦ信号のＴＭＣＣ信号に対してＤＢＰＳＫ復調を行い、当該ＴＭＣＣ信号に含まれる同期ワードを検出することによって、当該ＩＦ信号の同期確立が可能か否かを判定する。放送復調系ｂのＴＭＣＣ復号部２８は、ＩＦ信号の同期確立が可能であると判定した場合、すなわち、ＩＦ信号の同期確立ありと判定した場合、同期確立ありを示す（すなわち、伝送フレームの先頭タイミングを示す）同期確立信号を、放送復調系ｂの波形等化部２４に送信する。
【０１３４】
放送復調系ｂのＴＭＣＣ復号部２８がＩＦ信号の同期確立が可能であるか否かを判定し、当該ＩＦ信号の同期確立なしと判定した場合、すなわち、復調部４ｂがＩＦ信号の同期確立なし（同期ＮＧ）と判定した場合（ステップＳ７の結果がＮＯ）、同期確立なしを示す同期確立信号を起動制御部５０に供給する。起動制御部５０は、この同期確立信号を受信すると、放送復調系ａを起動させる、ステップＳ１の処理を行う。
【０１３５】
一方、放送復調系ｂのＴＭＣＣ復号部２８がＩＦ信号の同期確立ありと判定した場合、すなわち、復調部４ｂがＩＦ信号の同期確立あり（同期ＯＫ）と判定した場合（ステップＳ７の結果がＹＥＳ）、ステップＳ８の処理を行う。具体的に、ステップＳ４での、放送復調系ａにおける上述した受信品質検出処理と同様に、ステップＳ８では、放送復調系ｂの波形等化部２４が、放送復調系ｂのＴＭＣＣ復号部２８から同期確立ありを示す同期確立信号を受信すると、放送復調系ｂの広帯域キャリア周波数誤差補正部２７から供給される複素信号に含まれるデータ信号に対して波形等化処理を行い、当該波形等化したデータ信号を、放送復調系ｂの受信品質検出部２９に送信する。そして、放送復調系ｂの受信品質検出部２９は、放送復調系ｂの波形等化部２４によって波形等化されたデータ信号のＭＥＲ値を算出し（受信品質検出ステップＳ８）、算出した当該ＭＥＲ値を起動制御部５０に供給する。
【０１３６】
起動制御部５０では、判定部５１がステップＳ８にて得られた上記ＭＥＲ値を受信すると、ステップＳ５での処理と同様に、予め設定された閾値を参照し、当該ＭＥＲ値が当該閾値以上であるか否かを判定する（本発明に係る「起動制御ステップ」の１つである、ステップＳ９）。
【０１３７】
判定部５１は、上記ＭＥＲ値が上記閾値より小さいと判定した（ステップＳ９の結果がＮＯ）場合、当該判定結果を起動選択部５２に供給する。起動選択部５２は、上記ＭＥＲ値が上記閾値よりも小さいことを示す判定結果を受信すると、放送復調系ａの起動を示す上記停止起動信号を、電圧制御部４２に供給する。電圧制御部４２は、この停止起動信号を受信すると、放送復調系ａを起動させるために必要な、上述した所定の電源電圧を、チューナ３ａと復調部４ａとに供給して（または、供給する当該電源電圧を上昇させて）、放送復調系ａを起動させる（ステップＳ１に戻る）。
【０１３８】
一方、判定部５１は、上記ＭＥＲ値が上記閾値以上と判定した（ステップＳ９の結果がＹＥＳ）場合、当該判定結果を起動選択部５２に供給する。起動選択部５２は、上記ＭＥＲ値が上記閾値以上であることを示す判定結果を受信すると、放送復調系ａの停止を示す上記停止起動信号を、電圧制御部４２に供給する。電圧制御部４２は、この停止起動信号を受信すると、放送復調系ａを起動させるために必要な、上述した所定の電源電圧を、チューナ３ａと復調部４ａとに供給することを停止して（または、当該電源電圧を降下させて）、放送復調系ａを停止させ（起動制御ステップＳ１０）、放送復調系ｂにおける同期確立の有無を確認する、ステップＳ７の処理を行う。
【０１３９】
なお、ステップＳ５での処理において、判定部５１が上記ＭＥＲ値が上記閾値より小さいと判定した場合（ステップＳ５の結果がＮＯ）には、ステップＳ２の処理を行う。
【０１４０】
ここからは、上述したステップＳ５とステップＳ９とでの処理において、起動制御部５０で実施される制御の一例について、図６を参照して説明する。
【０１４１】
図６は、ＭＥＲ値の経時変化を示すグラフを用いた、起動制御部５０での制御の一例を示す図である。
【０１４２】
図６（ａ）は、起動制御部５０が、１つの閾値にて制御を行う場合を示すグラフである。
【０１４３】
図６（ａ）に示すとおり、判定部５１が受信品質検出部２９から供給されるＭＥＲ値を閾値Ｓ以上であると判定した場合、起動選択部５２は、放送復調系ｂを起動させるべく、当該判定結果に基づいて放送復調系ｂの起動を示す上記停止起動信号を、電圧制御部４２に供給する。また、この場合、起動選択部５２は、放送復調系ａを停止させるべく、当該判定結果に基づいて放送復調系ａの停止を示す上記停止起動信号を、電圧制御部４２に供給する。
【０１４４】
一方、判定部５１が上記ＭＥＲ値を閾値Ｓより小さいと判定した場合、起動選択部５２は、放送復調系ａを起動させるべく、当該判定結果に基づいて放送復調系ａの起動を示す上記停止起動信号を、電圧制御部４２に供給する。また、この場合、起動選択部５２は、放送復調系ｂを停止させるべく、当該判定結果に基づいて放送復調系ｂの停止を示す上記停止起動信号を、電圧制御部４２に供給する。
【０１４５】
さらに、ＯＦＤＭ復調装置１は、視聴に最適な復調系でデジタル放送を復調できるので、各階層専用の放送復調装置単体を用いた場合の消費電力と同じにすることができる。つまり、ＯＦＤＭ復調装置１は、ワンセグ放送を復調するときには、固定放送を復調するときよりも消費電力を抑制することができる。
【０１４６】
従って、ＯＦＤＭ復調装置１は、既存のワンセグ放送復調ＬＳＩ（Large-Scale Integration）と固定放送復調ＬＳＩを一体化して制御回路を追加することで、消費電力を抑制して、デジタル放送の最適な階層を選択して復調することができる。すなわち、ＯＦＤＭ復調装置１は、新たＬＳＩを設計する必要なく、既存のワンセグ放送復調ＬＳＩと固定放送復調ＬＳＩとのリソースを活用して、制御回路を付加するだけで、消費電力を抑制して、視聴に最適な復調系でデジタル放送の復調が可能となる。
【０１４７】
本実施の形態に係るＯＦＤＭ復調装置１では、所要Ｃ／Ｎ比の異なる複数の階層を同一のＯＦＤＭ復調装置１で受信し、放送波の受信品質としてのＭＥＲ値を検出し、最適な階層を受信することが可能となる。さらに、各階層を選択する時のＯＦＤＭ復調装置１の消費電力は、各階層専用ＯＦＤＭ復調装置の値と同じになる様に消費電力を制御することが可能となる。
【０１４８】
なお、本実施の形態では、受信品質を示す指標として、ＭＥＲ値を例に説明したが、当該指標は、ビタビ復号部３５またはＲＳ復号部３９のＢＥＲ（Bit Error Rate）、または、検出した狭帯域キャリア周波数誤差の揺らぎ等の同期品質であってもよい。すなわち、当該指標は、階層間の切り替え制御を行う上で、特定の閾値が定義可能な値であれば、如何なる物理量またはパラメータが用いられてもよい。
【０１４９】
図１に示すＯＦＤＭ復調装置１では、起動制御部５０を独立した処理ブロックとして設ける場合の一例であると解釈することができるが、ＯＦＤＭ復調装置１を携帯電話等に適用する構成の一例として、データバスを介してＯＦＤＭ復調装置１をＣＰＵで制御する構成が挙げられ、この場合、起動制御部５０は、当該ＣＰＵによるソフトウェア制御により実現されていてもよい。すなわち、この場合、当該ＣＰＵは、起動制御部５０を有していてもよい。
【０１５０】
本実施の形態では、復調部４ａおよび４ｂの各直交検波部２１にてＩＦ信号の直交検波を行っているが、これに限定されず、直交検波部２１の代わりに、例えばチューナ３に直交検波部を備える構成であってもよい。この場合、チューナ３からの出力信号はＩＦ信号ではなく、ＩＱ成分を有するベースバンド信号として、後段の復調部に供給されることとなる。
【０１５１】
また、ＯＦＤＭ復調装置１では、上述のように、ＲＦ信号からＩＦ信号に変換した後ベースバンド信号を得るＩＦ方式を用いているが、これに限定されず、ＲＦ信号から直接ベースバンド信号を得るゼロＩＦ方式（いわゆる、ダイレクトコンバージョン方式）であってもよい。〔表１〕の階層構成のデジタル放送では、固定放送のキャリア数は、ワンセグ放送の１２倍であるので、デインターリーブ処理に必要なＲＡＭ（Random Access Memory）領域も１２倍となり、それに応じて消費電力も増大する。
【０１５２】
図６（ａ）に係る上記説明では、閾値が１個（閾値Ｓのみ）であるものとして説明を行ったが、当該閾値は１個に限定されるものではなく複数でもよい。
【０１５３】
上記閾値が１個の場合、起動制御部５０は、ＭＥＲ値が閾値付近で微妙に振動することに起因して、放送復調系ａと放送復調系ｂとの切り替えを行ってしまう。
【０１５４】
上述したいわゆるｍｏｄｅ３のデジタル放送では、ワンセグ放送と固定放送との間に、復調時間の差が発生する。従って、放送復調系ａと放送復調系ｂとの切り替えの頻度が増大すると、上記復調時間の差に起因して、ユーザが放送を視聴可能となるまでにタイムラグが発生し、放送を視聴しているユーザに不快感を与える虞がある。
【０１５５】
そこで、ＯＦＤＭ復調装置１では、映像、画像、および、音声を復号するための、復号部（図示しない）に、バッファ（データバッファ）等の記憶装置（図示しない）を設け、当該記憶装置に、ワンセグ放送（放送復調系ａにより復調）および固定放送（放送復調系ｂにより復調）の各ＴＳＰ（受信信号に対して復調処理を行って得られたデータ）を記憶させる。そして、ワンセグ放送および固定放送の各ＴＳＰの時間に関する情報を抽出し、上記復調時間の差をキャンセルする（各ＴＳＰの出力までの時間を等しくする）ように、記憶された各ＴＳＰが当該記憶装置から出力されるタイミングを調整する一方、当該記憶装置は、一番新しく格納されたデータを最後に取り出す、いわゆるＦＩＦＯ（First-In First-Out）方式による、データの書き込みおよび読み出しを行う。
【０１５６】
これにより、ＯＦＤＭ復調装置１では、放送復調系ａと放送復調系ｂとの切り替えを、速やかにかつ連続的（シームレス）に実施することが可能となる。上記記憶装置には、ワンセグ放送（放送復調系ａにより復調）および固定放送（放送復調系ｂにより復調）の各々に関する、ＯＦＤＭ復調装置１による復調方法に係る情報（図５参照）が記憶され、ＯＦＤＭ復調装置１では、当該復調方法に係る情報の各々に応じて、放送復調系ａおよびｂの各々の起動タイミングの調整を実施するため、上記復号部に対する処理負荷が大きくなり、消費電力も瞬間的に増大する。このため、放送復調系ａと放送復調系ｂとの切り替えの頻度は、できるだけ少なくするほうが好ましい。そこで、ＯＦＤＭ復調装置１では、閾値を複数個設定するのが好ましい。
【０１５７】
例えば、放送復調系ａから放送復調系ｂへの切り替えを行うための閾値を閾値Ｓａ、放送復調系ｂから放送復調系ａへの切り替えを行うための閾値を閾値Ｓｂとして、複数の閾値ＳａおよびＳｂを設定する。起動制御部５０は、ＭＥＲ値と閾値Ｓａとの比較、および、ＭＥＲ値と閾値Ｓｂとの比較の両方に基づいて、放送復調系ａと放送復調系ｂとの切り替えを実施する。
【０１５８】
図６（ｂ）は、起動制御部５０が、複数の閾値（ここでは、閾値ＳａおよびＳｂの２個）にて制御を行う場合を示すグラフである。図６（ａ）と図６（ｂ）とは、ＭＥＲ値の時間変化は同じであるものとしている。
【０１５９】
図６（ｂ）に示すとおり、判定部５１が受信品質検出部２９から供給されるＭＥＲ値を閾値Ｓａ以上であると判定した場合、起動選択部５２は、放送復調系ｂを起動させるべく、当該判定結果に基づいて放送復調系ｂの起動を示す上記停止起動信号を、電圧制御部４２に供給する。また、この場合、起動選択部５２は、放送復調系ａを停止させるべく、当該判定結果に基づいて放送復調系ａの停止を示す上記停止起動信号を、電圧制御部４２に供給する。
【０１６０】
一方、判定部５１が上記ＭＥＲ値を、閾値Ｓａと異なる（ここでは、閾値Ｓａよりも小さい）閾値Ｓｂより小さいと判定した場合、起動選択部５２は、放送復調系ａを起動させるべく、当該判定結果に基づいて放送復調系ａの起動を示す上記停止起動信号を、電圧制御部４２に供給する。また、この場合、起動選択部５２は、放送復調系ｂを停止させるべく、当該判定結果に基づいて放送復調系ｂの停止を示す上記停止起動信号を、電圧制御部４２に供給する。但し、図６（ｂ）に係るＭＥＲ値の経時変化によれば、放送復調系ｂの起動中において、上記ＭＥＲ値が閾値Ｓｂより小さくなる期間が存在しないため、起動選択部５２による各停止起動信号の供給は行われていない。
【０１６１】
１個の閾値にて制御を行う場合、図６（ａ）に示すとおり、放送復調系ａと放送復調系ｂとの切り替えの頻度は多くなっている。一方、２個の閾値にて制御を行う場合、図６（ｂ）に示すとおり、放送復調系ａと放送復調系ｂとの切り替えの頻度は少なくすることが可能となる。
【０１６２】
なお、閾値Ｓａと閾値Ｓｂとの差が大きくなると、放送復調系ａと放送復調系ｂとの切り替えの頻度は少なくなる。但し、閾値Ｓｂを小さくし過ぎると、受信品質の観点から、放送復調系ｂによる受信信号の復調が困難であるにも関らず、放送復調系ｂを起動させてしまう、すなわち、放送復調系ｂにより固定放送の復調を行う復調モードを維持してしまう虞がある。このことを考慮すると、複数の各閾値は、実際にＯＦＤＭ復調装置１を構成した上で、ＯＦＤＭ試験波発生装置またはフェージングシミュレータ等を用いて、決定するのが好ましい。
【０１６３】
起動制御部５０は、ＭＥＲ値そのものを、閾値との比較のための検出値として用いる形態に限定されず、当該ＭＥＲ値の微分値、当該ＭＥＲ値の積分値、当該ＭＥＲ値の補間値、当該ＭＥＲ値のフィルタ出力等から、当該検出値としての判定指数を計算し、当該判定指数を当該閾値と比較して、放送復調系ａと放送復調系ｂとの切り替えを行ってもよい。
【０１６４】
ＯＦＤＭ復調装置１を備えた電子機器では、ＯＦＤＭ復調装置１を起動したまま移動することにより、建造物等により電波が遮られて、当該電波が伝播不可能な領域（電波陰）に入って当該電子機器外部からの電波の受信を阻害されることに起因して、アンテナ２ａおよび／または２ｂの受信波の電界強度が瞬間的に停止し、これに伴い、ＭＥＲ値が瞬間的に悪化してしまう虞がある。しかし、このＭＥＲ値の悪化が瞬間的である場合、対応する復調部４ａおよび／または４ｂのＦＥＣ部７の周波数デインターリーブ部３２（図３参照）で時間的に拡散されるので、ビタビ復号部３５およびＲＳ復号部３９にて、完全に誤り訂正を実施できる場合がある。この場合には、初期同期中受信できないことを考慮すると、対応する放送復調系ａまたはｂを起動させて、復調モードを維持した方がよいと考えられる。ＯＦＤＭ復調装置１では、上記ＭＥＲ値の微分値、上記ＭＥＲ値の積分値、上記ＭＥＲ値の補間値、上記ＭＥＲ値のフィルタ出力等から、当該検出値としての判定指数を算出して、当該判定指数と閾値の比較により受信階層を選択することにより、ＭＥＲ値が、図６（ｂ）に示すように、僅かに変動したり、瞬間的に悪化したりしても、当該悪化の影響を受けることなく復調モードを維持し、安定した受信を行うことが可能となる。
【０１６５】
なお、ＯＦＤＭ復調装置１のチューナ３ａおよび３ｂと、復調部４ａおよび４ｂは、それぞれ独立なＬＳＩで実現されていてもよい。また、ＯＦＤＭ復調装置１の、チューナ３ａおよび復調部４ａ、および／または、チューナ３ｂおよび復調部４ｂは、一体型となっているＬＳＩで実現されていてもよい。さらに、ＯＦＤＭ復調装置１の、チューナ３ａおよび３ｂおよび復調部４ａおよび４ｂの全てが、１つのＬＳＩで実現されていてもよい。複数のチューナおよび復調部（すなわち、複数系統の放送受信系）で構成されており、上記処理フローと同様の処理が行えるならば、上記の構成に限定されるものではない。
【０１６６】
また、上記で説明した処理フローでは、起動選択部５２が電圧制御部４２に各放送復調系ａおよびｂの停止起動信号を送信する。電圧制御部４２は、この停止起動信号を受信して、各放送復調系ａおよびｂに供給する電圧を制御する。これによって、放送復調系ａおよびｂの起動および停止は、制御される。そのときに、上記ＬＳＩのＩ／Ｏ（Input/Output）部（図示しない）に電圧を供給したまま、実際の処理を行う内部コア（図示しない）への電圧の供給を、行うか否かを制御してもよい。このとき、当該Ｉ／Ｏ部は、起動されたままとなるため、速やかに当該ＬＳＩが起動する。また、当該内部コアは、消費電力が一番大きくなるため、当該内部コアを停止することで消費電力が抑制される。
【０１６７】
また、クロック源４０は、起動選択部５２から供給された上記停止起動信号に応じて、放送復調系ａと放送復調系ｂとのそれぞれに対して、各放送復調系を動作させるための動作クロックを供給するまたは当該動作クロックの供給を停止する。
【０１６８】
なお、起動制御部５０は、クロック源４０を用いた動作クロックの制御を、電圧制御部４２を用いた電源電圧の制御と同じ要領によりさらに行ってもよいし、電圧制御部４２を用いた電源電圧の制御のかわりに行ってもよい。つまり、起動制御部５０により、放送復調系ａおよびｂを、起動または停止させる場合、起動または停止の手法としては、電源電圧を供給または停止する手法であってもよいし、動作クロックを供給または停止する手法であってもよいし、電源電圧および動作クロックの両方を供給または停止する手法であってもよい。
【０１６９】
なお、ある放送復調系（放送復調系ａまたはｂ）に対して、上記電源電圧を供給すると共に、当該動作クロックを供給する場合、当該放送復調系は、当該動作クロックの供給開始後に速やかに処理を開始させることができるという長所を有する。また、当該動作クロックが供給されない当該放送復調系は、処理が停止されることで消費電力が抑制される。
【０１７０】
ところで、受信品質検出部２９によるＭＥＲ値の検出に際しては、複数のキャリア情報が必要となるため、ＭＥＲ値の検出結果は、計測期間毎に更新される。なお、受信品質検出部２９は、当該受信品質検出部２９自身と同一の放送復調系に備えられている波形等化部２４の出力信号から、ある受信信号の受信からｍ番目のＭＥＲ値の計測データを示すＹ（ｍ）を、ＭＥＲ値として検出する。なおここで、ｍは任意の自然数である。
【０１７１】
放送復調系ａ（すなわち、チューナ３ａおよび復調部４ａ）および／または放送復調系ｂ（すなわち、チューナ３ｂおよび復調部４ｂ）に対して、電源電圧および動作クロックが供給されると、当該電源電圧および動作クロックが供給された放送復調系ａおよび／または放送復調系ｂにおいて、チューナ３ａおよび／またはチューナ３ｂが所望のチャンネルを選択し、復調部４ａおよび／または復調部４ｂの、ＢＢ部６がシンボル同期およびフレーム同期を確立し、ＦＥＣ部７が時間デインターリーブ処理、ビタビ復号処理、およびＲＳ復号処理を終えてはじめて、有効なＴＳＰが出力される。当該電源電圧および動作クロックの供給から、ＴＳＰ出力までの期間は、チューナ３ａおよび３ｂ、および、復調部４ａおよび４ｂの実装要領にも依存するが、放送復調系ａであるか放送復調系ｂであるかに関らず、概ね１秒〜３秒程度となる。
【０１７２】
なお、上記ＴＳＰ出力までの期間に影響を及ぼす要因（依存し得る実装要領の具体例）としては例えば、以下の３つが挙げられる。
【０１７３】
１つ目の要因は、電源およびクロックの供給後にまず行う、同期処理に要する時間である。この同期処理が完了（同期が確立）しないと、出力されたＴＳＰを取り出す処理は開始できない。この同期処理では具体的に、ゲイン調整のＡＧＣ、キャリア周波数誤差補正のＡＦＣ（Automatic Frequency Control：自動周波数制御）、シンボル同期、およびフレーム同期等の処理を行う。あるフレームに同期するためには、当該フレームの先頭部分において、同期ワードを検出し同期する必要がある。その為には、少なくとも２フレーム分の同期ワード検出期間が必要となり、この同期ワード検出期間が、ＴＳＰ出力までの期間に影響を及ぼす。
【０１７４】
２つ目の要因は、波形等化部２４における復調処理に伴い発生する遅延である。波形等化部２４は、ＳＰ（Scattered Pilot：分散パイロット）キャリアを規準にして、各データキャリアが通信路にて受信した、フェージングによる影響を補正するが、このとき、補正するデータの前後の数シンボルのＳＰを利用して補正する。従って、波形等化部２４には、１シンボル〜１０シンボル程度のデータおよびＳＰ記憶領域が設けられる。なお、ＳＰ記憶領域の記憶容量は、波形等化アルゴリズムに応じて異なる。換言すれば、フェージングによる影響の補正により、波形等化部２４では、１シンボル〜１０シンボル以上の遅延が生じることとなる。
【０１７５】
３つ目の要因は、ＦＥＣ部７の時間デインターリーブ部３３（図３参照）における復調処理に伴い発生する遅延である。時間デインターリーブ部３３は、時間インターリーブの解除処理を行う。ここで、上述した非特許文献１にて規定された規格によれば、時間インターリーブは、１フレーム〜８フレーム程度毎に行われる。従って、時間デインターリーブ部３３は、１フレーム〜８フレーム程度のデータを蓄積して、初めて時間インターリーブの解除処理を実施することができる。換言すれば、時間デインターリーブ部３３では、少なくとも１フレーム〜８フレーム程度、もしくはそれ以上の遅延が生じる。
【０１７６】
以上の３つの要因より、放送パラメータによって具体的な時間こそ変わるが、電源およびクロックの供給後に、ＴＳＰ出力が得られるまでに要する時間は、計３フレーム〜１１フレームに対応する時間以上となる。上述した、ｍｏｄｅ３のデジタル放送の場合、このＴＳＰ出力が得られるまでに要する時間は、概ね、１秒〜３秒程度となる。但し、場合によっては、３秒以上の時間を要する場合も考えられるため、電源電圧および動作クロックの供給から、ＴＳＰ出力までの期間は、１秒〜３秒、もしくは、それ以上の時間を想定しておくのが好ましい。
【０１７７】
さらに、図９に示すとおり、〔表１〕に示すデジタル放送は、ワンセグ放送８０と固定放送８１とが一括して放送されている。しかし、上述したサイマル放送であっても、ワンセグ放送８０と固定放送８１とで、映像および音声復調処理後の出力信号が得られるタイミングが異なる場合があり、その時間差は、映像および音声復調処理のアーキテクチャに依存して、１秒程度〜数十秒で異なる。
【０１７８】
このことから、ワンセグ放送を復調するための放送復調系ａと、固定放送を復調するための放送復調系ｂと、を切り替えるときには、上記時間差を相殺するように、すなわち、各上記出力信号を連続的に出力するために必要な時間だけ、停止させるべき放送復調系をさらに起動させておかないと、連続的な階層の（換言すれば、放送復調系ａと放送復調系ｂとの）切り替えは困難となる。
【０１７９】
また一般的に、固定放送における所要Ｃ／Ｎ比は、ワンセグ放送における所要Ｃ／Ｎ比よりも大きい。ワンセグ放送を固定放送に切り替える処理は、ＭＥＲ値が大きくなり、電波状態が良好になったときに実施されることとなるが、このときに当該ワンセグ放送の復調処理（放送復調系ａの起動）を継続したとしても、電波状態が良好であることから、当該復調処理に悪影響を及ぼすことはほとんどない。一方、固定放送をワンセグ放送に切り替える処理は、ＭＥＲ値が小さくなり、電波状態が悪化したときに実施されることとなるが、このときに当該固定放送の復調処理（放送復調系ｂの起動）を継続すると、電波状態が悪化していることから、当該復調処理に悪影響を及ぼす虞が大きい。
【０１８０】
そこで、ＯＦＤＭ復調装置１では、図６（ｂ）に示すように、閾値を複数用いている場合において、さらに、ＭＥＲ値と、ある当該閾値（第１閾値）と、の判定結果に応じて、放送復調系ａおよびｂの両方に電源電圧を供給し、別の当該閾値（第２閾値）と、の判定結果に応じて、放送復調系ａおよびｂのいずれかのみに電源電圧を供給することで、放送復調系ａと放送復調系ｂとの切り替えを行うのが好ましい。
【０１８１】
なお、ＯＦＤＭ復調装置１を起動するときには、まず放送復調系ａを起動させる（図５のステップＳ０およびＳ１参照）。
【０１８２】
放送復調系ａのみが起動している場合、起動制御部５０は、判定部５１が上記ＭＥＲ値を受信すると、図７（ａ）のように、ＭＥＲ値がＹ（ｍ）≧Ｙ１ａ（第１閾値）となったときに、起動選択部５２が放送復調系ｂを起動させる旨の上記停止動作信号を電圧制御部４２に供給する。電圧制御部４２は、この停止動作信号に応じて、チューナ３ｂおよび復調部４ｂに対して電源電圧を供給してこれらを起動させるが、この時点では、放送復調系ａと放送復調系ｂとの両方が起動していることになる（起動開始タイミングからの期間Ｌ１参照）。そして、当該期間Ｌ１の間に、Ｙ（ｍ）≧Ｙ１ｂ（第２閾値）となったら、起動選択部５２は、固定放送復調モードとする、すなわち、起動選択部５２が放送復調系ａを停止させる旨の上記停止動作信号を電圧制御部４２に供給して、電圧制御部４２は、この停止動作信号に応じて、チューナ３ａおよび復調部４ａに対する電源電圧の供給を停止（または、当該電源電圧を降下）させる。また、当該期間Ｌ１の間、常にＹ（ｍ）＜Ｙ１ｂとなる場合、起動選択部５２は、ワンセグ放送復調モードを継続する、すなわち、起動選択部５２が放送復調系ｂを停止させる旨の上記停止動作信号を電圧制御部４２に供給して、電圧制御部４２は、この停止動作信号に応じて、チューナ３ｂおよび復調部４ｂに対する電源電圧の供給を停止（または、当該電源電圧を降下）させる。
【０１８３】
次に、放送復調系ｂのみが起動している場合、起動制御部５０は、判定部５１が上記ＭＥＲ値を受信すると、図７（ｂ）のように、ＭＥＲ値がＹ（ｍ）≦Ｙ２ｂ（第１閾値）となったときに、起動選択部５２が放送復調系ａを起動させる旨の上記停止動作信号を電圧制御部４２に供給する。電圧制御部４２は、この停止動作信号に応じて、チューナ３ａおよび復調部４ａに対して電源電圧を供給してこれらを起動させるが、この時点では、放送復調系ａと放送復調系ｂとの両方が起動していることになる（起動開始タイミングからの期間Ｌ２参照）。そして、当該期間Ｌ２の間に、Ｙ（ｍ）≦Ｙ２ａ（第２閾値）となったら、起動選択部５２は、ワンセグ放送復調モードとする、すなわち、起動選択部５２が放送復調系ｂを停止させる旨の上記停止動作信号を電圧制御部４２に供給して、電圧制御部４２は、この停止動作信号に応じて、チューナ３ｂおよび復調部４ｂに対する電源電圧の供給を停止（または、当該電源電圧を降下）させる。また、当該期間Ｌ２の間、常にＹ（ｍ）＞Ｙ２ａとなる場合、起動選択部５２は、固定放送復調モードを継続する、すなわち、起動選択部５２が放送復調系ａを停止させる旨の上記停止動作信号を電圧制御部４２に供給して、電圧制御部４２は、この停止動作信号に応じて、チューナ３ａおよび復調部４ａに対する電源電圧の供給を停止（または、当該電源電圧を降下）させる。
【０１８４】
なお、便宜上、図７（ａ）および（ｂ）では、明らかに放送復調系ａまたはｂを起動させる期間を、グラフ上部の実線の矢印にて、明らかに放送復調系ａまたはｂを停止させる期間を、グラフ上部の矢印無にて、放送復調系ａおよびｂに関して、起動しているか否かが明らかでない期間（すなわち、放送復調系ａまたはｂの、一方が起動し他方が停止する期間）を、グラフ上部の破線の矢印にて、それぞれ示している。
【０１８５】
図７（ａ）に係る各処理と、図７（ｂ）に係る各処理と、を繰り返し実施することにより、ＯＦＤＭ復調装置１は、視聴に最適な復調系でデジタル放送を復調できるので、各階層専用の復調装置単体を用いた場合の消費電力と同じにすることができる。
【０１８６】
ここで、固定放送における所要Ｃ／Ｎ比をＹQEFとする場合、図７（ａ）に示す閾値Ｙ１ｂは、放送復調系ａから放送復調系ｂへと切り替えるための条件となることから、Ｙ１ｂ＞ＹQEFという条件を満足する必要がある。また、閾値Ｙ１ｂは、上記ワンセグ放送復調モード時に放送復調系ｂをさらに起動するための条件、すなわち、放送復調系ａおよびｂの両方を起動させるために必要な条件であるので、Ｙ１ｂ＞Ｙ１ａを満足すれば、その数値に特別な制約がない。
【０１８７】
但し、Ｙ１ａとＹ１ｂとの差が小さいと、放送復調系ｂを起動してから同期する前に、判定部５１が上記固定放送復調モードを選択してしまう。しかし、この場合、放送復調系ａによる、ワンセグ放送の復調は継続して可能となるため、放送復調系ａおよびｂの両方を起動させておき、放送復調系ｂのＦＥＣ部７から有効なＴＳＰ出力が得られた後に、放送復調系ａを停止するのが好ましい。反対に、Ｙ１ａとＹ１ｂとの差を大きくしすぎると、放送復調系ａおよびｂの両方が起動している期間は長くなりすぎてしまい、この結果、消費電力が増大してしまう。
【０１８８】
また、固定放送における所要Ｃ／Ｎ比をＹQEFとする場合、図７（ｂ）に示す閾値Ｙ２ａは、放送復調系ｂから放送復調系ａへと切り替えるための条件となることから、Ｙ２ａ＞ＹQEFを満たす必要がある。また、閾値Ｙ２ｂは、上記固定放送復調モード時に放送復調系ａをさらに起動するための条件、すなわち、放送復調系ａおよびｂの両方を起動させるために必要な条件であるので、Ｙ２ｂ＞Ｙ２ａを満足すれば、その数値に特別な制約がない。
【０１８９】
但し、Ｙ２ａとＹ２ｂの差が小さいと、放送復調系ａを起動してから同期する前に、判定部５１が上記ワンセグ放送復調モードを選択してしまう。そして、この場合、放送復調系ｂによる、固定放送の復調は困難となるため、上記固定放送復調モードを継続すると、復調処理に悪影響を及ぼす虞が大きい。ここで、Ｙ２ａとＹ２ｂとの差が大きくなれば当該悪影響を及ぼす虞こそ小さくなるが、放送復調系ａおよびｂの両方が起動している期間は長くなりすぎてしまい、この結果、消費電力が増大してしまう。換言すれば、復調処理の安定性と消費電力との関係は、いわゆるトレードオフの関係となる。当該トレードオフの関係を考慮すると、ＯＦＤＭ復調装置１における当該悪影響を及ぼす虞を小さくすべく、Ｙ２ａとＹ２ｂの差は、１〜２ｄＢ程度に設定するのが好ましい。
【０１９０】
そして、各上記閾値Ｙ１ａ、Ｙ１ｂ、Ｙ２ａ、およびＹ２ｂは、上述した諸条件を適宜勘案した上で、フェージング時のＭＥＲ値の時間変動、および、上述した復号部とＯＦＤＭ復調装置１との間の時間応答のタイムラグ等を考慮して、実際にＯＦＤＭ復調装置１を構成した上で、フェージングシミュレータ等を用いた各種評価を実施した上で、決定するのが好ましい。当該復号部が、ワンセグ放送と固定放送とにおける、出力信号が得られるタイミングに関する上記時間差を無視できる程度に容量の大きな、上記記憶装置を有する場合には、放送復調系ａおよびｂの各々が、同期時間（すなわち、当該電源電圧および動作クロックの供給から、ＴＳＰ出力までの期間）だけを考慮すれば充分である。このため、期間Ｌ１（図７（ａ）参照）と、期間Ｌ２（図７（ｂ）参照）とは、１秒〜数秒程度とすることで、連続的な階層の（換言すれば、放送復調系ａと放送復調系ｂとの）切り替えが充分に実現可能となる。一方、当該復号部が、上記記憶装置の容量が小さい場合には、ワンセグ放送と固定放送とにおける、出力信号が得られるタイミングに関する上記時間差をさらに考慮する必要がある。このため、連続的な階層の（換言すれば、放送復調系ａと放送復調系ｂとの）切り替えを実現するためには、期間Ｌ１（図７（ａ）参照）と、期間Ｌ２（図７（ｂ）参照）とは、１秒〜数十秒程度必要となる。
【０１９１】
なお、期間Ｌ１およびＬ２は、互いに同じ値であっても異なる値であってもよい。期間Ｌ１およびＬ２は、実際に使用する、上記復号部およびＯＦＤＭ復調装置１の各種特性、さらには、設定された各上記閾値Ｙ１ａ、Ｙ１ｂ、Ｙ２ａ、およびＹ２ｂに応じて、適宜設定可能なものである。
【０１９２】
また、受信品質検出部２９は、変調誤差比としてのＭＥＲの統計から得られた統計量を、受信品質を示す検出値としてもよい。
【０１９３】
以下では、変調誤差比としてのＭＥＲの統計から得られた統計量を、受信品質を示す検出値とする要領について、図８を参照して説明する。
【０１９４】
まず、受信品質検出部２９では、ＭＥＲ値の検出時間を、ＭＥＲ値の統計量を得るための、特定の検出期間（計測期間：例えば、図８に示す期間Ｌ１１）毎に分割する。そして、各検出期間内に関して、ＭＥＲ値Ｙ（ｍ）の平均値Ｙａｖ（ｔ）を下記数式（５）により、標準偏差σＹ（ｔ）を下記数式（６）により、それぞれ測定する。なおここで、ｔは、受信開始から数えて上記統計量の検出期間が経過した数（受信開始から数えた当該検出期間の個数）を示すパラメータであるものとする。
【０１９５】
【数５】
2010200163.tif 000008
【０１９６】
【数６】
2010200163.tif 000009
【０１９７】
なお、ここで、パラメータ「Ｎ」は、和を取るべき、データＹ（ｍ）の総数を示す自然数である。
【０１９８】
そして、平均値Ｙａｖ（ｔ）および標準偏差σＹ（ｔ）から、判定指数Ｚ（ｔ）を下記数式（７）により計算する。なお、γは定数であるものとする。
【０１９９】
【数７】
2010200163.tif 000010
【０２００】
ここで、時間に対するＭＥＲ値Ｙ（ｍ）の分布が、ガウス分布（正規分布）であると仮定すると、一般的なガウス分布の分布関数の性質により、γ＝１では、ＭＥＲ値の計測データのうち、約８４．１％のＹ（ｍ）が、Ｙ（ｍ）≧Ｚを満足する。また、γ＝２では、ＭＥＲ値の計測データのうち、約９７．７％のＹ（ｍ）が、Ｙ（ｍ）≧Ｚを満足する。さらに、γ＝３では、ＭＥＲ値の計測データのうち、約９９．８７％のＹ（ｍ）が、Ｙ（ｍ）≧Ｚを満足する。
【０２０１】
つまり、γ≧２であり、かつ、Ｚ≧閾値ＹＴＨを満足する場合には、ＭＥＲ値の計測データＹ（ｍ）のうち、約９７％以上がＹ（ｍ）≧閾値ＹＴＨを満足することとなる。
【０２０２】
さらに、閾値ＹＴＨとして所要Ｃ／Ｎ比であるＹQEFを選択した場合を考える。所要Ｃ／Ｎ比は、ビタビ復号部３５の出力時点でのＢＥＲが２×１０−４、ＲＳ復号部３９の出力時点でのＢＥＲが１０−１１以下であるときのＣ／Ｎ比と等しい。Ｙ（ｍ）≧閾値ＹＴＨの期間においては、デジタル放送の受信率が１００％であるが、仮に、Ｙ（ｍ）が閾値ＹＴＨより小さくても、その差が小さいならば、当該受信率は概ね１００％となる（図８参照）。
【０２０３】
以上より、受信開始から数えてｔ番目の上記検出期間に関して、Ｚ（ｔ）≧ＹＴＨを満足すれば、当該ｔ番目の検出期間中の上記受信率は、１００％であるとみなすことができる。
【０２０４】
受信品質検出部２９は、特定の検出期間ｔにおける上記統計量を検出して、判定指数Ｚ（ｔ）を上記数式（７）に基づいて検出し、この判定指数Ｚ（ｔ）に基づいて、起動制御部５０は、検出期間ｔの次の検出期間（ｔ＋１）での、放送復調系ａと放送復調系ｂとの切り替え制御を行う。当該制御では、検出期間ｔにおける平均値Ｙａｖ（ｔ）および標準偏差σＹ（ｔ）を、検出期間ｔの直前の検出期間（ｔ−１）における平均値Ｙａｖ（ｔ−１）および標準偏差σＹ（ｔ−１）によりそれぞれ近似するという前提条件での制御となるが、この制御によれば、復調処理の安定性を統計学的に保証することが可能となる。
【０２０５】
なお、上述した検出期間ｔにおける各制御は、図５に係るステップＳ４およびＳ８において、ＭＥＲ値（すなわち、Ｙ（ｍ））と閾値（すなわち、閾値ＹＴＨ）との比較を、ＭＥＲ値から得られた統計量としての判定指数（すなわち、Ｚ（ｔ−１））と閾値（すなわち、閾値ＹＴＨ）との比較に置換したものであると解釈することができる。閾値ＹＴＨとしては例えば、固定放送の所要Ｃ／Ｎ比であるＹQEFを適用することができる。そして、判定指数Ｚ（ｔ−１）が閾値ＹＴＨよりも大きい場合には、放送復調系ｂを起動させると共に放送復調系ａを停止させ、判定指数Ｚ（ｔ−１）が閾値ＹＴＨよりも小さい場合には、放送復調系ａを起動させると共に放送復調系ｂを停止させるように、放送復調系ａと放送復調系ｂとの切り替えを制御する。この制御によれば、上述したとおり、復調処理の安定性は、統計学的に保証することが可能となる。なお、ＭＥＲ値Ｙ（ｍ）を用いて当該制御を実施する場合、図５に示すフローチャートに係る各処理は、ＭＥＲ値を検出する期間毎に実施する。一方、判定指数Ｚ（ｔ）を用いて当該制御を実施する場合、図５に示すフローチャートに係る各処理は、ＭＥＲ値の統計量を得るための、特定の検出期間（すなわち、図８に示す期間Ｌ１１）毎に実施することとなる。
【０２０６】
ここまでは、検出期間ｔにおけるＭＥＲ値の平均値Ｙａｖ（ｔ）と検出期間（ｔ−１）におけるＭＥＲ値の平均値Ｙａｖ（ｔ−１）と、は、概ね等しくなっているものとして、説明を行ってきたが、検出期間ｔにおけるＭＥＲ値の平均値Ｙａｖ（ｔ）は、検出期間ｔ以前の期間（すなわち、検出期間１〜（ｔ−１）までの各々）における各平均値Ｙａｖ（１）〜Ｙａｖ（ｔ−１）から推測した結果、得られたものであってもよい。この一例としては、下記数式（８）に示すとおり、検出期間ｔにおけるＭＥＲ値の平均値Ｙａｖ（ｔ）を、その直前の２の検出期間、すなわち、検出期間（ｔ−１）および検出期間（ｔ−２）におけるＭＥＲ値の各平均値Ｙａｖ（ｔ−１）およびＹａｖ（ｔ−２）を用いた微分法により、推測する方法である。
【０２０７】
【数８】
2010200163.tif 000011
【０２０８】
さらに、期間ｔにおけるＭＥＲ値の平均値Ｙａｖ（ｔ）は、ラグランジュ補間フィルタまたはスプラインフィルタ等の補間フィルタを用いて推測してもよいし、ＬＭＳ(Least Mean Square) 等の適応フィルタをはじめとする各種デジタルフィルタで推測してもよい。但し、これらの推測要領については、周知の技術で実現可能であるため、詳細な説明については省略する。
【０２０９】
さらに、検出期間ｔにおけるＭＥＲ値の平均値Ｙａｖ（ｔ）だけでなく、検出期間ｔにおけるＭＥＲ値の標準偏差σＹ（ｔ）についても、上記平均値Ｙａｖ（ｔ）の推測要領と同様の要領で推測しても良い。
【０２１０】
なお、ここでは、時間に対するＭＥＲ値Ｙ（ｍ）の分布が、ガウス分布（正規分布）であると仮定したが、これに限定されず、時間に対するＭＥＲ値Ｙ（ｍ）の分布は、統計学で一般的に用いられている、二項分布、ポアソン分布、ベルヌーイ分布等の、分布関数に従う確率分布であると仮定しても良いし、フェージングの分布関数として用いられるレイリー分布関数、またはライス分布関数等であると仮定してもよい。すなわち、時間に対するＭＥＲ値Ｙ（ｍ）の例えば９５％以上が、Ｙ（ｍ）≧ＹQEFを満足するように、判定指数Ｚ（ｔ）および各種判定条件（各統計分布での平均、および、分散の性質等）を決定すれば、ガウス分布を仮定した場合と同様の安定した制御が可能となる。
【０２１１】
また、本実施の形態では、選択される閾値について、放送復調系ａと放送復調系ｂとの切り替えが可能であるような値であるならば、所要Ｃ／Ｎ比に限定されるものではない。所要Ｃ／Ｎ比は、ＲＳ復号部３９のＴＳＰ出力のＢＥＲが１０-12以下を満足するときの、Ｃ／Ｎ比として定義される。ＯＦＤＭ復調装置１を含む、受信および復調システム全体の仕様から、満足すべき当該ＢＥＲの許容値を小さくすることが求められる場合、閾値は、所要Ｃ／Ｎ比より大きくしてもよいし、当該許容値が大きくしても問題が少ない場合、閾値は、所要Ｃ／Ｎ比より小さくしてもよい。本実施の形態では、所要Ｃ／Ｎ比を制御の閾値として採用したが、この所要Ｃ／Ｎ比は、変調方式および符合化率によって異なる。また、所要Ｃ／Ｎ比は、ＢＢ部６およびＦＥＣ部７の処理能力によっても変化する。このため、ＯＦＤＭ復調装置１毎に、ＢＢ部６および／またはＦＥＣ部７の処理アルゴリズムが異なれば、ＯＦＤＭ復調装置１毎に所要Ｃ／Ｎ比も異なる。従って、閾値もＯＦＤＭ復調装置１毎に対応した値にする必要がある。さらに、閾値を複数使用する場合、閾値として統計量を使用する場合、さらには、３階層以上の階層を有している放送を復調する場合においても、使用すべき閾値は、所要Ｃ／Ｎ比（または、所要Ｃ／Ｎから得られら統計量）に限定されない。
【０２１２】
さらに、本実施の形態に係るデジタル放送の階層構成は、〔表１〕に示したとおり、ワンセグ放送と固定放送との２階層であるものとして説明を行ってきた。しかしながら、当該階層構成は、この２階層の構成に限定されるものではない。すなわち、所要Ｃ／Ｎ比が互いに異なる変調方式および符合化率を有する、２以上（複数）の階層を含むデジタル放送であれば、本発明は任意の階層構成を有するデジタル放送において適用可能である。階層の数が３以上の場合には、図５に示すフローチャートにおける、受信品質検出ステップと起動制御ステップとを、階層数に応じて拡張すれば、図５と同様の制御が可能となるが、閾値の数を１つにできない場合がある。
【０２１３】
階層の数が３以上の場合に、図５に示すフローチャートを拡張した一例を、図１２に示している。
【０２１４】
図１２に示すフローチャートは、３の階層を含むデジタル放送をそれぞれ受信する、放送復調系ａ〜ｃを備えたＯＦＤＭ復調装置を想定したものであり、図５に示すフローチャートに加えて、以下の処理を行っている。
【０２１５】
まずは、ステップＳ３において、さらに、放送復調系ｃを停止する（ステップＳ３１）。また、閾値はＴ１およびＴ２の２値用意されており、ステップＳ５およびＳ９において、ＭＥＲは閾値Ｔ１と比較される（ステップＳ５１およびＳ９１）。そして、ステップＳ９１の後、ＭＥＲを閾値Ｔ２と比較して、起動または停止される放送復調系が異なるのを除けば、ステップＳ３１〜ステップＳ９１と同様の処理を行い（ステップＳ１２〜Ｓ１８）、さらに、ステップＳ３１と同様の処理を再び行う（ステップＳ１９）。
【０２１６】
なお、３の階層を有している場合とは例えば、階層が、ＱＰＳＫ、１６ＱＡＭ、および６４ＱＡＭの場合が該当する。
【０２１７】
最後に、ＯＦＤＭ復調装置１、特に、受信品質検出部２９および起動制御部５０は、ハードウェアロジックによって構成してもよいし、次のようにＣＰＵを用いてソフトウェアによって実現してもよい。
【０２１８】
すなわち、ＯＦＤＭ復調装置１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるＯＦＤＭ復調装置１の制御プログラムのプログラムコード（実行形式プログラム、中間コードプログラム、ソースプログラム）をコンピュータで読み取り可能に記録した記録媒体を、上記ＯＦＤＭ復調装置１に供給し、そのコンピュータ（またはＣＰＵやＭＰＵ）が記録媒体に記録されているプログラムコードを読み出し実行することによっても、達成可能である。
【０２１９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２０】
また、ＯＦＤＭ復調装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２２２】
本発明は、デジタル放送の最適な階層を選択して復調する復調装置において、復調時の消費電力を、選択された階層に対して、最適かつ最小とすることができるので、デジタル放送を階層ごとに復調する復調装置を有する受信装置に適用することができる。特に、本発明に係る復調装置は、上記受信装置のうち、小型な携帯型受信装置（例えば、携帯電話機、ＰＤＡ）に適用することが有効である。また、本発明に係る復調装置は、ＯＦＤＭ伝送方式に従って信号を受信して復調する復調装置、例えば、無線ＬＡＮのための復調装置、ＢＳデジタル放送またはＣＳデジタル放送を受信するための復調装置、ケーブルテレビ放送を受信するための復調装置、に対しても適用することができるものである。
【符号の説明】
【０２２３】
１  ＯＦＤＭ復調装置（復調装置）
３、３ａ、３ｂ  チューナ（選局処理手段）
４ａ、４ｂ  復調部（復調処理手段）
２９  受信品質検出部（受信品質検出手段）
４０  クロック源
５０  起動制御部（起動制御手段）
５１  判定部（判定手段）
５２  起動選択部（起動選択手段）
ａ、ｂ  放送復調系
【図１】
2010200163.tif 000012
【図２】
2010200163.tif 000013
【図３】
2010200163.tif 000014
【図４】
2010200163.tif 000015
【図５】
2010200163.tif 000016
【図６】
2010200163.tif 000017
【図７】
2010200163.tif 000018
【図８】
2010200163.tif 000019
【図９】
2010200163.tif 000020
【図１０】
2010200163.tif 000021
【図１１】
2010200163.tif 000022
【図１２】
2010200163.tif 000023